(57)【特許請求の範囲】
【請求項１】
複合部品（１０２）を付加製造するためのシステム（１００）であって、
供給アセンブリ（２６６）であって、
前記供給アセンブリ（２６６）は、表面（１１４）に対して移動可能であり、かつ、連続可撓性ライン（１０６）の少なくとも１つのセグメント（１２０）を、プリントパス（１２２）に沿って堆積させるよう構成された、供給ガイド（１１２）を備え、前記プリントパス（１２２）は、前記表面（１１４）に対して静止しており、
前記供給アセンブリ（２６６）は更に、非樹脂構成要素（１０８）を受容するよう構成された第１入口部（１７０）と、フォトポリマ樹脂（２５２）を受容するよう構成された第２入口部（２５０）とを備え、
前記供給アセンブリ（２６６）は、前記フォトポリマ樹脂（２５２）を前記非樹脂構成要素（１０８）に付着させるよう構成される、供給アセンブリ（２６６）と、
前記非樹脂構成要素（１０８）を備え、前記供給アセンブリ（２６６）によって前記非樹脂構成要素（１０８）に付着した少なくともいくらかの前記フォトポリマ樹脂（２５２）を含むフォトポリマ樹脂構成要素（１１０）を更に備える、前記連続可撓性ライン（１０６）を、前記供給ガイド（１１２）から押し出すよう構成された、送り機構（１０４）と、
前記連続可撓性ライン（１０６）の前記セグメント（１２０）が前記供給ガイド（１１２）から出た後に、前記連続可撓性ライン（１０６）の前記セグメント（１２０）の少なくとも一部分（１２４）に硬化エネルギー（１１８）を供給するよう構成されている、前記硬化エネルギー（１１８）の供給源（１１６）とを備え、
前記供給アセンブリ（２６６）は更に、前記送り機構（１０４）に対し前記供給ガイド（１１２）の反対側に、上流部（２６８）を備え、
前記送り機構（１０４）は、前記供給ガイド（１１２）を通して前記連続可撓性ライン（１０６）を押し、前記上流部（２６８）に通して前記連続可撓性ライン（１０６）を引き出すよう、構成され、
前記上流部（２６８）は、前記第２入口部（２５０）と、上流出口部（２７０）であって、そこを通って前記連続可撓性ライン（１０６）が前記上流部（２６８）から出る上流出口部（２７０）と、前記第１入口部（１７０）から前記上流出口部（２７０）へと延びる上流ライン通路（２７２）とを備え、
前記上流部（２６８）の前記第２入口部（２５０）は、前記上流ライン通路（２７２）と流体連通している、システム（１００）。
【請求項２】
更に、前記上流部（２６８）の前記第２入口部（２５０）から前記上流ライン通路（２７２）を通って流れ、前記第１入口部（１７０）から出る、前記フォトポリマ樹脂（２５２）を収集するよう配置された、オーバーフローリザーバ（２７４）を備える、請求項１に記載のシステム（１００）。
【請求項３】
更に、前記上流部（２６８）の前記第２入口部（２５０）への前記フォトポリマ樹脂（２５２）の流れを能動的に制御するよう構成された、樹脂計測システム（２５６）であって、前記上流ライン通路（２７２）内の前記フォトポリマ樹脂（２５２）の高さを検出するよう構成された少なくとも１つのセンサ（２５４）を備える、樹脂計測システム（２５６）を備える、請求項１又は２に記載のシステム（１００）。
【請求項４】
前記少なくとも１つのセンサ（２５４）は、前記上流部（２６８）の前記第２入口部（２５０）よりも上流に配置された高位センサ（２５８）であって、前記フォトポリマ樹脂（２５２）の高さが前記上流ライン通路（２７２）内で上方閾値高さ以上である場合にそれを検出するよう構成された、高位センサ（２５８）を備え、
前記樹脂計測システム（２５６）は、前記フォトポリマ樹脂（２５２）が前記上流ライン通路（２７２）内で前記上方閾値高さ以上になることに反応して、前記フォトポリマ樹脂（２５２）の流れを減少させるよう構成される、請求項３に記載のシステム（１００）。
【請求項５】
前記少なくとも１つのセンサ（２５４）は、前記フォトポリマ樹脂（２５２）の高さが前記上流ライン通路（２７２）内で下方閾値高さ以下である場合にそれを検出するよう構成された、低位センサ（２６０）を備え、
前記樹脂計測システム（２５６）は、前記フォトポリマ樹脂（２５２）が前記上流ライン通路（２７２）内で前記下方閾値高さ以下になることに反応して、前記フォトポリマ樹脂（２５２）の流れを増加させるよう構成される、請求項３又は４に記載のシステム（１００）。
【請求項６】
前記少なくとも１つのセンサ（２５４）は、前記フォトポリマ樹脂（２５２）による前記非樹脂構成要素（１０８）の飽和レベルを、前記供給ガイド（１１２）から出る以前に検出するよう配置された飽和センサ（２７６）を含む、請求項３から５のいずれか一項に記載のシステム（１００）。
【請求項７】
前記樹脂計測システム（２５６）は更に、前記少なくとも１つのセンサ（２５４）からの入力に反応して、前記フォトポリマ樹脂（２５２）の流れを選択的に増減させるよう構成されたポンプ（２６４）を備える、請求項３から６のいずれか一項に記載のシステム（１００）。
【請求項８】
前記供給ガイド（１１２）は更に、ガイド入口部（２８４）と、前記第２入口部（２５０）と、ガイド出口部（２０６）であって、そこを通って前記連続可撓性ライン（１０６）が前記供給ガイド（１１２）から出るガイド出口部（２０６）と、前記ガイド入口部（２８４）から前記ガイド出口部（２０６）へと延びるガイドライン通路（１５４）とを備え、
前記供給ガイド（１１２）の前記第２入口部（２５０）は、前記ガイドライン通路（１５４）と流体連通している、請求項１から７のいずれか一項に記載のシステム（１００）。
【請求項９】
更に、前記供給ガイド（１１２）の前記第２入口部（２５０）への前記フォトポリマ樹脂（２５２）の流れを能動的に制御するよう構成された、樹脂計測システム（２５６）であって、前記ガイドライン通路（１５４）内の前記フォトポリマ樹脂（２５２）の高さを検出するよう構成された少なくとも１つのセンサ（２５４）を備える、樹脂計測システム（２５６）を備える、請求項８に記載のシステム（１００）。
【請求項１０】
前記少なくとも１つのセンサ（２５４）は、前記フォトポリマ樹脂（２５２）の高さが前記ガイドライン通路（１５４）内で下方閾値高さ以下である場合にそれを検出するよう構成された、低位センサ（２６０）を備え、
前記樹脂計測システム（２５６）は、前記フォトポリマ樹脂（２５２）が前記ガイドライン通路（１５４）内で前記下方閾値高さ以下になることに反応して、前記フォトポリマ樹脂（２５２）の流れを増加させるよう構成される、請求項９に記載のシステム（１００）。
【請求項１１】
前記少なくとも１つのセンサ（２５４）は、前記フォトポリマ樹脂（２５２）による前記非樹脂構成要素（１０８）の飽和レベルを、前記供給ガイド（１１２）から出る以前に検出するよう配置された飽和センサ（２７６）を含む、請求項９又は１０に記載のシステム（１００）。
【請求項１２】
前記樹脂計測システム（２５６）は更に、前記少なくとも１つのセンサ（２５４）からの入力に反応して、前記フォトポリマ樹脂（２５２）の流れを選択的に増減させるよう構成されたポンプ（２６４）を備える、請求項９から１１のいずれか一項に記載のシステム（１００）。
【請求項１３】
前記硬化エネルギー（１１８）の前記供給源（１１６）は、前記供給アセンブリ（２６６）に作動的に連結され、前記供給ガイド（１１２）と共に動くよう構成されている、請求項１から１２のいずれか一項に記載のシステム（１００）。
【請求項１４】
前記硬化エネルギー（１１８）の前記供給源（１１６）は、前記連続可撓性ライン（１０６）の前記セグメント（１２０）の第１層（１４０）を、前記第１層（１４０）の少なくとも一部分が前記表面（１１４）に接して前記供給ガイド（１１２）によって堆積されていくにつれて、部分的に硬化するよう、かつ、第２層（１４２）が前記第１層（１４０）に接して前記供給ガイド（１１２）によって堆積されていくにつれて、前記第１層（１４０）を更に硬化し、前記第２層（１４２）を部分的に硬化するよう構成される、請求項１から１３のいずれか一項に記載のシステム（１００）。
【請求項１５】
前記供給ガイド（１１２）は、ガイド入口部（２８４）と、ガイド出口部（２０６）であって、そこを通って前記連続可撓性ライン（１０６）が前記供給ガイド（１１２）から出るガイド出口部（２０６）と、前記ガイド入口部（２８４）から前記ガイド出口部（２０６）へと延びるガイドライン通路（１５４）とを備え、
前記送り機構（１０４）は、前記ガイドライン通路（１５４）を通して前記連続可撓性ライン（１０６）を押すよう構成され、
前記送り機構（１０４）は、支持フレーム（１５６）と、それぞれの回転軸（１５９）を有する対向ローラ（１５７）とを備え、
前記対向ローラ（１５７）は、前記支持フレーム（１５６）に回転可能に連結され、
前記対向ローラ（１５７）は、前記連続可撓性ライン（１０６）又は前記非樹脂構成要素（１０８）の両側に係合するよう構成され、
前記対向ローラ（１５７）は、前記ガイドライン通路（１５４）を通して前記連続可撓性ライン（１０６）を押すために、選択的に回転するよう構成される、請求項１から１４のいずれか一項に記載のシステム（１００）。
【請求項１６】
更に、前記供給アセンブリ（２６６）に作動的に連結され、かつ、前記連続可撓性ライン（１０６）の前記セグメント（１２０）が前記供給ガイド（１１２）から出た後に、前記連続可撓性ライン（１０６）の前記セグメント（１２０）の少なくとも一区域（１８０）に圧縮力を付与するよう構成された圧縮機（１３８）を備える、請求項１から１５のいずれか一項に記載のシステム（１００）。
【請求項１７】
更に、前記供給アセンブリ（１１２）に作動的に連結され、かつ、前記連続可撓性ライン（１０６）の前記セグメント（１２０）が前記供給ガイド（１１２）から出た後に、前記連続可撓性ライン（１０６）の前記セグメント（１２０）の少なくとも一区域（１９４）を研磨するよう構成された粗面機（１４４）を備える、請求項１から１６のいずれか一項に記載のシステム（１００）。
【請求項１８】
前記供給ガイド（１１２）は、ガイドライン通路（１５４）であって、それを通って前記連続可撓性ライン（１０６）が前記プリントパス（１２２）に供給されるガイドライン通路（１５４）を備え、且つ、前記ガイドライン通路（１５４）はガイド出口部（２０６）を備える、システム（１００）であって、前記ガイド出口部（２０６）の近くで前記連続可撓性ライン（１０６）を選択的に切断するよう構成されたカッター（２０８）を更に備える、請求項１から１７のいずれか一項に記載のシステム（１００）。
【請求項１９】
更に、前記連続可撓性ライン（１０６）の前記セグメント（１２０）が前記供給ガイド（１１２）から出た後に前記連続可撓性ライン（１０６）の前記セグメント（１２０）における不具合を検出するよう構成された不具合検出器（２２４）を備える、請求項１から１８のいずれか一項に記載のシステム（１００）。
【発明の詳細な説明】
【背景技術】
【０００１】
従来、典型的な複合部品の製造は、複合材料の複数のプライであって、各プライが例えば一方向性強化繊維又はランダム配向のチョップド繊維を包含している複数のプライを、順次層形成することに依拠する。この様態で製造された部品は必ず積層構造を有するが、強化繊維の全てが部品に印加される力（複数可）の方向（複数可）に沿って配向されるわけではないことから、積層構造は、仕上がり部品の重量を望ましくないほどに増加させる。加えて、複合物を製造する積層技法に内在する制限は、多くの種類の進歩的な構造設計の実装に役立つものではない。
【発明の概要】
【０００２】
そのため、少なくとも上述の懸念に対処することを目的とした装置及び方法は有用となろう。
【０００３】
下記は本開示を許容する主題の例であり、それらは、特許請求されることも、されないこともあってよく、完全に網羅的というわけではない。
【０００４】
本開示の一例は、複合部品を付加製造するためのシステムに関する。システムは、供給アセンブリと、送り機構と、硬化エネルギーの供給源とを備える。供給アセンブリは、表面に対して移動可能であり、かつ、プリントパスに沿って連続可撓性ライン（ｃｏｎｔｉｎｕｏｕｓ  ｆｌｅｘｉｂｌｅ  ｌｉｎｅ）の少なくとも１つのセグメントを堆積させるよう構成された、供給ガイドを備える。プリントパスは、表面に対して静止している。供給アセンブリは更に、非樹脂構成要素を受容するよう構成された第１入口部と、フォトポリマ樹脂を受容するよう構成された第２入口部とを備える。供給アセンブリは、フォトポリマ樹脂を非樹脂構成要素に付着させるよう構成される。送り機構は、連続可撓性ラインを供給ガイドから押し出すよう構成される。連続可撓性ラインは非樹脂構成要素を備え、供給アセンブリによって非樹脂構成要素に付着した少なくともいくらかのフォトポリマ樹脂を含む、フォトポリマ樹脂構成要素を更に備える。硬化エネルギーの供給源は、連続可撓性ラインセグメントが供給ガイドから出た後に、連続可撓性ラインのセグメントの少なくとも一部分に硬化エネルギーを供給するよう構成される。
【０００５】
本開示の別の例は、複合部品を付加製造する方法に関する。方法は、プリントパスに沿って連続可撓性ラインのセグメントを堆積させることを含む。連続可撓性ラインは非樹脂構成要素を備え、硬化されていないフォトポリマ樹脂構成要素を更に備える。方法は更に、連続可撓性ラインをプリントパスに向けて進行させつつ、連続可撓性ラインのセグメントがプリントパスに沿って堆積された後に、連続可撓性ラインのセグメントの少なくとも一部分を少なくとも部分的に硬化させるために、連続可撓性ラインのセグメントの少なくともその部分に、既定の量又は能動的に決定される量の硬化エネルギーを、制御された速度で供給することも含む。
【０００６】
本開示の更に別の例は、複合部品を付加製造する方法に関する。方法は、供給アセンブリを通して連続可撓性ラインを押している間に、フォトポリマ樹脂を非樹脂構成要素に付着させることを含む。連続可撓性ラインは、非樹脂構成要素と、非樹脂構成要素に付着した少なくともいくらかのフォトポリマ樹脂を含む、フォトポリマ樹脂構成要素とを備える。方法は、供給アセンブリを介して、プリントパスに沿って連続可撓性ラインのセグメントを堆積させることも含む。方法は更に、プリントパスに沿って堆積された連続可撓性ラインのセグメントの少なくとも一部分に、硬化エネルギーを供給することを含む。
【０００７】
本開示の例は上記で概括的に説明されており、以後添付図面を参照することになるが、図面は必ずしも正寸で描かれておらず、類似の参照記号は、複数の図を通して同じ又は類似した部分を指し示している。
【図面の簡単な説明】
【０００８】
【図１】本開示の一又は複数の例による、複合部品を付加製造するためのシステムの概略図である。
【図２】本開示の一又は複数の例による、図１のシステムの供給アセンブリ及びオーバーフローリザーバの概略図である。
【図３】本開示の一又は複数の例による、図１のシステムの送りアセンブリ及び供給アセンブリの概略図である。
【図４】本開示の一又は複数の例による、図１のシステムの送りアセンブリ及び供給アセンブリの概略図である。
【図５】本開示の一又は複数の例による、図１のシステムの送り機構のローラ及びスクレーパの概略図である。
【図６】本開示の一又は複数の例による、図１のシステムによって堆積される連続可撓性ラインの概略断面図である。
【図７】本開示の一又は複数の例による、図１のシステムによって堆積される連続可撓性ラインの概略断面図である。
【図８】本開示の一又は複数の例による、連続可撓性ラインの２つの層が同時に硬化されている、図１のシステムの一部分の概略図である。
【図９】本開示の一又は複数の例による、供給ガイドが硬化エネルギー通路を備える図１のシステムの一部分の概略図である。
【図１０】本開示の一又は複数の例による、供給ガイドが硬化エネルギー通路を備え、かつ、硬化エネルギーがリングの形態で供給される、図１のシステムの一部分の概略図である。
【図１１】本開示の一又は複数の例による、硬化エネルギーがリングの形態で供給される図１のシステムの一部分の概略図である。
【図１２】本開示の一又は複数の例による、図１のシステムの圧縮ローラを備える圧縮機の概略図である。
【図１３】本開示の一又は複数の例による、圧縮機が圧縮ローラを備えている、図１のシステムの一部分の概略図である。
【図１４】本開示の一又は複数の例による、圧縮機が圧縮ローラを備えている、図１のシステムの一部分の概略図である。
【図１５】本開示の一又は複数の例による、圧縮機が圧縮ワイパを備えている、図１のシステムの一部分の概略図である。
【図１６】本開示の一又は複数の例による、圧縮機がスカート部を備えている、図１のシステムの一部分の概略図である。
【図１７】本開示の一又は複数の例による、図１のシステムのアイリス絞りを備えるカッターの概略図である。
【図１８】本開示の一又は複数の例による、カッターが供給ガイドに対して移動可能な２つの刃を備えている、図１のシステムの一部分の概略図である。
【図１９】本開示の一又は複数の例による、カッターが供給ガイドの中に配置された少なくとも１つの刃を備えている、図１のシステムの一部分の概略図である。
【図２０】本開示の一又は複数の例による、カッターが切断レーザを備えている、図１のシステムの概略図である。
【図２１】本開示の一又は複数の例による、硬化エネルギーの供給源が一又は複数の硬化レーザを備えている、図１のシステムの概略図である。
【図２２】本開示の一又は複数の例による、フレームと駆動アセンブリとを備える図１のシステムの図である。
【図２３】本開示の一又は複数の例による、カッターと、圧縮機と、粗面機と、硬化レーザを備える硬化源とを有する、図１のシステムの一部分の図である。
【図２４】本開示の一又は複数の例による、硬化源が１つの硬化レーザを備えている図１のシステムの一部分の図である。
【図２５】本開示の一又は複数の例による、圧縮機と、硬化レーザを備える硬化源とを有する、図１のシステムの一部分の図である。
【図２６】本開示の一又は複数の例による、硬化源が１つの硬化レーザを備えている図１のシステムの一部分の図である。
【図２７】本開示の一又は複数の例による、硬化源が２つの硬化レーザを備えている、図１のシステムの一部分の図である。
【図２８】本開示の一又は複数の例による、硬化源が４つの硬化レーザを備えている、図１のシステムの一部分の図である。
【図２９】本開示の一又は複数の例による、送り機構を有する図１のシステムの一部分の図である。
【図３０】図２９の部分の別の図である。
【図３１】図２９の部分の別の図である。
【図３２】本開示の一又は複数の例による、カッターが供給ガイドに対して移動可能な２つの刃を備えている、図１のシステムの一部分の図である。
【図３３】図３２の部分の別の図である。
【図３４Ａ】本開示の一又は複数の例による、複合部品を付加製造するための方法の、集合的なブロック図の一部である。
【図３４Ｂ】本開示の一又は複数の例による、複合部品を付加製造するための方法の、集合的なブロック図の一部である。
【図３４Ｃ】本開示の一又は複数の例による、複合部品を付加製造するための方法の、集合的なブロック図の一部である。
【図３５Ａ】本開示の一又は複数の例による、複合部品を付加製造するための方法の、集合的なブロック図の一部である。
【図３５Ｂ】本開示の一又は複数の例による、複合部品を付加製造するための方法の、集合的なブロック図の一部である。
【図３５Ｃ】本開示の一又は複数の例による、複合部品を付加製造するための方法の、集合的なブロック図の一部である。
【図３６】航空機の製造及び保守方法を表すブロック図である。
【図３７】航空機の概略図である。
【発明を実施するための形態】
【０００９】
上記で言及した図１において、様々な要素及び／又は構成要素を接続する実線が存在する場合、それらの実線は、機械的、電気的、流体的、光学的、電磁的な連結、及び他の連結、並びに／又はそれらの組み合せを表しうる。本書で使用される「連結された（ｃｏｕｐｌｅｄ）」とは、直接的並びに間接的に関連付けられていることを意味する。例えば、部材Ａは、部材Ｂに直接関連付けられてよく、例えば別の部材Ｃを介して、部材Ｂに間接的に関連付けられてもよい。開示されている様々な要素間の全ての関連が必ずしも表されているわけではないことが、理解されよう。そのため、概略図に図示されているもの以外の連結も存在しうる。様々な要素及び／又は構成要素を指し示すブロックを接続する破線が存在する場合、それらの破線は、実線によって表された連結に機能及び目的が類似した連結を表す。しかし、破線によって表された連結は、選択的に提供されるか、又は、本開示の代替例に関連するかのいずれかでありうる。同様に、破線で表された要素及び／又は構成要素が存在する場合、それらは本開示の代替例を示す。実線及び／又は破線内に示された一又は複数の要素は、本開示の範囲を逸脱することなく、特定の例から省略されうる。環境要素が存在する場合、それらは点線で表される。仮想的な架空要素も、明確性のために示されうる。図１に示す特徴のうちのいくつかは、図１、他の図、及び／又はそれらに伴う開示で説明される他の特徴を含むことを必要とせずに、様々な方法で組み合わされうるが、一又は複数のかかる組み合わせは本書で明示的に示されないことを、当業者は認識しよう。同様に、提示される例には限定されない追加の特徴も、本書で提示及び説明されている特徴の一部又は全部と組み合わされうる。
【００１０】
上記で言及した図３４から図３６では、ブロックは、工程及び／又はその部分を表してよく、様々なブロックを接続する線は、工程又はその部分のいかなる特定の順序又は従属関係も暗示しない。破線で表されたブロックは、代替工程及び／又はその部分を示す。様々なブロックを接続する破線が存在する場合、それらの破線は、工程又はその部分の代替的な従属関係を表す。開示されている様々な工程間の全ての従属関係が、必ずしも表されているわけではないことが、理解されよう。本書に明記された方法（複数可）の工程を説明する、図３４から図３６及びそれらに伴う開示は、工程が実行されるシーケンスを必然的に決定すると解釈すべきではない。むしろ、１つの例示的な順序が示されていても、工程のシーケンスは、適宜改変されうると理解されたい。そのため、ある工程は、異なる順序で、又は同時に、実行されうる。加えて、説明されている全ての工程を実行する必要はないことを、当業者は認識しよう。
【００１１】
以下の説明において、開示されている概念の完全な理解を提供するために、多数の特定詳細が明記されるが、開示されている概念は、それらの特定事項の一部又は全部がなくとも、実践されうる。他の事例では、開示を不必要に分かりにくくすることを回避するために、既知のデバイス及び／又はプロセスの詳細は省略されている。一部の概念は特定の例と併せて説明されることになるが、それらの例は限定を目的とするものではないことが理解されよう。
【００１２】
別途示されない限り、「第１（ｆｉｒｓｔ）」「第２（ｓｅｃｏｎｄ）」などの用語は、本書では単に符号として使用され、それらの用語が表すアイテムに順序、位置、又は序列についての要件を課すことを目的とはしていない。更に、例えば「第２」のアイテムへの言及は、例えば「第１」の、又はより小さい数がふられたアイテム、及び／又は、例えば「第３」の、又はより大きな数がふられたアイテムの存在を、必要とすることも、排除することもない。
【００１３】
本書における「一例」への言及は、その例に関連して説明される一又は複数の特徴、構造又は特性が、少なくとも１つの実行形態に含まれることを意味する。明細書内に頻出する「一例」という表現は、同一の例を表すことも、表さないこともありうる。
【００１４】
本書で使用される、特定の機能を実行する「よう構成され（ｃｏｎｆｉｇｕｒｅｄ  ｔｏ）」たシステム、装置、構造、物品、要素、又は構成要素は、実際には、単に更なる改変後にその特定の機能を実行する潜在能力を有するというよりは、いかなる変更も行わずに、その特定の機能を実行することが可能である。換言すると、システム、装置、構造、物品、要素、又は構成要素は、特定の機能を実行するという目的のために、特に選択され、作り出され、実装され、利用され、プログラムされ、かつ／又は設計される。本書で使用される、「よう構成され」は、システム、装置、構造、物品、要素、又は構成要素が特定の機能を実際に実行することを可能にする、システム、装置、構造、物品、要素、又は構成要素の特性が存在することを意味する。この開示において、特定の機能を実行する「よう構成され」ていると表現されるシステム、装置、構造、物品、要素、又は構成要素は、追加的又は代替的には、その機能を実行する「よう適合」している、及び／又は、実行する「よう作動可能」であると、表現されうる。
【００１５】
本開示を許容する主題の、特許請求されることも、されないこともありうる、例示的かつ非網羅的な例が、以下に提供される。
【００１６】
例えば図１を参照するに、複合部品１０２を付加製造するためのシステム１００が開示されている。システム１００は、供給アセンブリ２６６と、送り機構１０４と、硬化エネルギー１１８の供給源１１６とを備える。供給アセンブリ２６６は、表面１１４に対して移動可能であり、かつ、プリントパス１２２に沿って連続可撓性ライン１０６の少なくともセグメント１２０を堆積させるよう構成された、供給ガイド１１２を備える。プリントパス１２２は、表面１１４に対して静止している。供給アセンブリ２６６は更に、非樹脂構成要素１０８を受容するよう構成された第１入口部１７０と、フォトポリマ樹脂２５２を受容するよう構成された第２入口部２５０とを備える。供給アセンブリ２６６は、フォトポリマ樹脂２５２を非樹脂構成要素１０８に付着させるよう構成される。送り機構１０４は、連続可撓性ライン１０６を供給ガイド１１２から押し出すよう構成される。連続可撓性ライン１０６は非樹脂構成要素１０８を備え、供給アセンブリ２６６によって非樹脂構成要素１０８に付着した少なくともいくらかのフォトポリマ樹脂２５２を含む、フォトポリマ樹脂構成要素１１０を更に備える。硬化エネルギー１１８の供給源１１６は、連続可撓性ライン１０６のセグメント１２０が供給ガイド１１２から出た後に、連続可撓性ライン１０６のセグメント１２０の少なくとも部分１２４に、硬化エネルギー１１８を供給するよう構成される。この段落の上述の記載は、本開示の例１を特徴付ける。
【００１７】
従って、システム１００は、複合部品１０２が製造されている間にフォトポリマ樹脂２５２及び非樹脂構成要素１０８から作り出される少なくとも１つの複合材料から、複合部品１０２を製造するために使用されうる。更に、フォトポリマ樹脂構成要素１１０は、複合部品１０２が製造されている間に、すなわち原位置で、硬化エネルギー１１８の供給源１１６によって少なくとも部分的に硬化される。加えて、システム１００は、例えば複合部品１０２の所望の性質を決定するために複合部品１０２全体を通じて所望の及び／又は既定の位置付けに配向される連続可撓性ライン１０６で、複合部品１０２を製造するために使用されうる。
【００１８】
連続可撓性ライン１０６は、複合部品１０２の製造中に供給アセンブリ２６６の中で作り出されることから、システム１００は、複合部品１０２の中の種々の場所に種々の特性を備えた所望の複合部品１０２を、カスタマイズするか、若しくは作り出すために、種々の非樹脂構成要素１０８及び／又は種々のフォトポリマ樹脂２５２を選択することを可能にする、適応性を有する。
【００１９】
追加的又は代替的には、システム１００のいくつかの例は３−Ｄプリンタと表現されうる。
【００２０】
上述のように、送り機構１０４は、連続可撓性ライン１０６を供給ガイド１１２から押し出すよう構成される。換言すると、連続可撓性ライン１０６をプリントパス１２２に沿って堆積させる供給ガイド１１２は、複合部品１０２がシステム１００によって製造されている時の連続可撓性ライン１０６の移動の方向に関して、送り機構１０４の下流に配置される。
【００２１】
本書で使用される、「連続可撓性ライン（ｃｏｎｔｉｎｕｏｕｓ  ｆｌｅｘｉｂｌｅ  ｌｉｎｅ）」とは、その長さに対して横方向又は垂直方向の寸法（例えば直径又は幅）よりも著しく長い長さを有する、細長い構造体である。例示的で非限定的な一例としては、連続可撓性ライン１０６は、その直径又は幅よりも、少なくとも１００倍、少なくとも１０００倍、少なくとも１００００倍、少なくとも１０００００倍、又は、少なくとも１００００００倍長い、長さを有しうる。
【００２２】
本書で使用される「フォトポリマ樹脂（ｐｈｏｔｏｐｏｌｙｍｅｒ−ｒｅｓｉｎ）」とは、光を選択的に当てることによって硬化されるか、又は固化されるよう構成されている樹脂材料である。例示的で非限定的な例としては、フォトポリマ樹脂２５２、ひいてはフォトポリマ樹脂構成要素１１０は、紫外光、可視光、赤外光、及び／又はＸ線の形態の硬化エネルギー１１８が供給源１１６によって連続可撓性ライン１０６の部分１２４に供給されると、少なくとも部分的に硬化されるか又は固化されるよう構成されうる。更に、フォトポリマ樹脂２５２は、それが、供給アセンブリ２６６の第２入口部２５０を介して受領され、非樹脂構成要素１０８に付着する時に、硬化されていなくても、オプションでは、部分的にのみ硬化されていてもよい。
【００２３】
上述のように、供給ガイド１１２は、表面１１４に対して移動可能である。これは、いくつかの例では、システム１００が、表面１１４に対して選択的に動かされるよう構成されている供給ガイド１１２を含みうることを意味し、かかる表面１１４は、システム１００の一部、或いは、飛行機の翼又は胴体などのような構造体の一部でありうる。加えて、システム１００が表面１１４を含む例では、表面１１４は、供給ガイド１１２に対して選択的に動かされうる。また、いくつかの例では、システム１００は供給ガイド１１２及び表面１１４を含んでよく、その両方が、互いに対して選択的に動かされうる。
【００２４】
図１を概括的に参照しつつ、例えば図２及び図３を詳細に参照するに、供給アセンブリ２６６は更に、送り機構１０４に対し供給ガイド１１２の反対側に、上流部２６８を備える。送り機構１０４は、供給ガイド１１２を通して連続可撓性ライン１０６を押し、上流部（２６８）に通して連続可撓性ライン１０６を引き出すよう、構成される。上流部２６８は、第２入口部２５０と、上流出口部２７０であって、そこを通って連続可撓性ライン１０６が上流部２６８から出る上流出口部２７０と、第１入口部１７０から上流出口部２７０へと延びる上流ライン通路２７２とを備える。上流部２６８の第２入口部２５０は、上流ライン通路２７２と流体連通している。この段落の上述の記載は、本開示の例２を特徴付けており、例２は上記の例１による記載も含む。
【００２５】
第２入口部２５０を備える上流部２６８は、送り機構１０４の上流でフォトポリマ樹脂２５２を非樹脂構成要素１０８に付着させることを容易にする。そのため、送り機構１０４は、フォトポリマ樹脂２５２による非樹脂構成要素１０８の含浸を容易にしうる。加えて、本書に記載されているように、送り機構１０４の上流でフォトポリマ樹脂２５２を付着させることで、余分なフォトポリマ樹脂２５２の収集が容易になりうる。
【００２６】
本書で使用される「上流（ｕｐｓｔｒｅａｍ）」及び「下流ｄｏｗｎｓｔｒｅａｍ」という用語は、供給アセンブリ２６６を通る少なくとも非樹脂構成要素１０８の、意図される進行方向に関する。
【００２７】
図１を参照するに、システム１００は更に、フォトポリマ樹脂２５２を、上流部２６８の第２入口部２５０へと供給するために分配するよう構成された、容器２６２を備える。この段落の上述の記載は、本開示の例３を特徴付けており、例３は上記の例２による記載も含む。
【００２８】
容器２６２は、ある体積のフォトポリマ樹脂２５２を、第２入口部２５０へと供給するために提供する。容器２６２は、複合部品１０２の製造中に補充されてよく、オプションでは、例えば複合部品１０２の中の種々の場所に所望の性質を生じさせるために、複合部品１０２の製造中に種々のフォトポリマ樹脂２５２が補充されうる。
【００２９】
追加的又は代替的には、１を上回る数の容器２６２であって、個々の容器２６２が各々、第２入口部への選択的な供給のために種々のフォトポリマ樹脂２５２を保持している、容器２６２が提供されうる。
【００３０】
図１を概括的に参照しつつ、例えば図２を詳細に参照するに、システム１００は更に、上流部２６８の第２入口部２５０から上流ライン通路２７２を通って流れ、第１入口部１７０から出る、フォトポリマ樹脂２５２を収集するよう配置された、オーバーフローリザーバ２７４を備える。この段落の上述の記載は、本開示の例４を特徴付けており、例４は上記の例２又は例３のいずれか１つによる記載も含む。
【００３１】
オーバーフローリザーバ２７４は、供給アセンブリ２６６から、例えば、第２入口部２５０から上流に供給アセンブリ２６６の中を流れる、余分なフォトポリマ樹脂２５２を収集する。
【００３２】
図１を参照するに、システム１００は更に、上流部２６８の第２入口部２５０へのフォトポリマ樹脂２５２の流れを能動的に制御するよう構成された、樹脂計測システム２５６を備える。この段落の上述の記載は、本開示の例５を特徴付けており、例５は上記の例２から例４のいずれか１つによる記載も含む。
【００３３】
フォトポリマ樹脂２５２の流れを能動的に制御することによって、所望の体積のフォトポリマ樹脂２５２が、非樹脂構成要素１０８に付着しうる。更に、複合部品１０２の製造中、フォトポリマ樹脂２５２による非樹脂構成要素１０８の所望の飽和レベルが維持及び／又は選択されうる。
【００３４】
図１を概括的に参照しつつ、例えば図２及び図３を詳細に参照するに、樹脂計測システム２５６は、上流ライン通路２７２内のフォトポリマ樹脂２５２の高さを検出するよう構成された、少なくとも１つのセンサ２５４を備える。この段落の上述の記載は、本開示の例６を特徴付けており、例６は上記の例５による記載も含む。
【００３５】
一又は複数のセンサ２５４は、樹脂計測システム２５６が上流部２６８の第２入口部２５０へのフォトポリマ樹脂２５２の流れを能動的に制御する基礎とするために、樹脂計測システム２５６にデータを提供する。
【００３６】
フォトポリマ樹脂２５２の存在を検出するよう構成されているセンサ２５４を含む、任意の好適なセンサ２５４が提供されうる。センサ２５４は、例としては、光学センサ、容量性センサ、及び／又は超音波センサでありうる。
【００３７】
図１を概括的に参照しつつ、例えば図２及び図３を詳細に参照するに、少なくとも１つのセンサ２５４は、上流部２６８の第２入口部２５０よりも上流に配置され、かつ、フォトポリマ樹脂２５２の高さが上流ライン通路２７２内で上方閾値高さ以上である場合にそれを検出するよう構成された、高位センサ２５８を備える。樹脂計測システム２５６は、フォトポリマ樹脂２５２が上流ライン通路２７２内で上方閾値高さ以上になることに反応して、フォトポリマ樹脂２５２の流れを減少させるよう構成される。この段落の上述の記載は、本開示の例７を特徴付けており、例７は上記の例６による記載も含む。
【００３８】
樹脂計測システム２５６は、高位センサ２５８を含むことによって、供給アセンブリ２６６の上流でのフォトポリマ樹脂２５２の不必要なオーバーフローを回避するために、フォトポリマ樹脂２５２の流れを能動的に制御しうる。
【００３９】
図２では、高位センサ２５８は、概略的に、上流部２６６及びオーバーフローリザーバ２７４と重複関係に示されており、高位センサが、例えば本書の例４に関連してオーバーフローリザーバ２７４が存在する場合、それに連結され、その中にあり、若しくはそれに関連付けられうることを、概略的に表している。
【００４０】
図１を概括的に参照しつつ、例えば図２を詳細に参照するに、システム１００は更に、上流部２６８の第２入口部２５０から上流ライン通路２７２を通って流れ、第１入口部１７０から出る、フォトポリマ樹脂２５２を収集するよう配置された、オーバーフローリザーバ２７４を備える。高位センサ２５８は、オーバーフローリザーバ２７４の中のフォトポリマ樹脂２５２の高さを検出するよう配置される。この段落の上述の記載は、本開示の例８を特徴付けており、例８は上記の例７による記載も含む。
【００４１】
図１を概括的に参照しつつ、例えば図２及び図３を詳細に参照するに、少なくとも１つのセンサ２５４は、フォトポリマ樹脂２５２の高さが上流ライン通路２７２内で下方閾値高さ以下である場合にそれを検出するよう構成された、低位センサ２６０を備える。樹脂計測システム２５６は、フォトポリマ樹脂２５２が上流ライン通路２７２内で下方閾値高さ以下になることに反応して、フォトポリマ樹脂２５２の流れを増加させるよう構成される。この段落の上述の記載は、本開示の例９を特徴付けており、例９は上記の例６から例８のいずれか１つによる記載も含む。
【００４２】
樹脂計測システム２５６は、低位センサ２６０を含むことによって、フォトポリマ樹脂２５２の流れを能動的に制御して、十分なフォトポリマ樹脂２５２が非樹脂構成要素１０８に付着していくことを確実にしうる。例えば、低位センサ２６０が、フォトポリマ樹脂２５２がないこと、又はフォトポリマ樹脂２５２が足りないことを検出した場合、次いで樹脂計測システム２５６は、第２入口部２５０への、ひいては非樹脂構成要素１０８への、フォトポリマ樹脂２５２の流れを増加させうる。
【００４３】
図１を概括的に参照しつつ、例えば図２及び図３を詳細に参照するに、低位センサ２６０は、第２入口部２５０よりも上流に配置される。この段落の上述の記載は、本開示の例１０を特徴付けており、例１０は上記の例９による記載も含む。
【００４４】
低位センサ２６０を第２入口部２５０よりも上流に配置することで、フォトポリマ樹脂２５６の高さが、非樹脂構成要素１０８の不十分な飽和をもたらすように許容不可能に低くなる以前に、その低位を検出することが、容易になりうる。
【００４５】
図１を概括的に参照しつつ、例えば図２及び図３を詳細に参照するに、低位センサ２６０は、第２入口部２５０よりも下流に配置される。この段落の上述の記載は、本開示の例１１を特徴付けており、例１１は上記の例９による記載も含む。
【００４６】
低位センサ２６０を第２入口部２５０よりも下流に配置することで、樹脂計測システム２５６が補正措置を行いうるように、フォトポリマ樹脂２５２の許容不可能な高さを検出することが、容易になりうる。
【００４７】
図１を概括的に参照しつつ、例えば図２及び図３を詳細に参照するに、少なくとも１つのセンサ２５４は、フォトポリマ樹脂２５２による非樹脂構成要素１０８の飽和のレベルを、供給ガイド１１２から出る以前に検出するよう配置された、飽和センサ２７６を含む。この段落の上述の記載は、本開示の例１２を特徴付けており、例１２は上記の例６から例１１のいずれか１つによる記載も含む。
【００４８】
連続可撓性ライン１０６が供給ガイド１１２から出る以前に非樹脂構成要素１０８の飽和レベルを検出する位置に、飽和センサ２７６を含むことによって、樹脂計測システム２５６は、連続可撓性ライン１０６が常に、所望の飽和レベルにあるか、又は、最低閾値飽和レベルを上回っていることを確実にするために、使用されうる。
【００４９】
飽和センサ２７６は、その作動が、高位センサ２５８及び／又は低位センサ２６０とは異なりうる。例えば、飽和センサ２７６は、供給アセンブリ２６６の中のフォトポリマ樹脂２５２の高さを検出するのではなく、その代わりに、連続可撓性ライン１０６の選択された断面部分におけるフォトポリマ樹脂の体積を検出しうる。追加的又は代替的には、飽和センサ２７６は、フォトポリマ樹脂２５２による非樹脂構成要素１０８への浸透のレベルを検出しうる。一例としては、飽和センサ２７６は、事実上光学的なものであってよく、フォトポリマ樹脂２５２が、非樹脂構成要素１０８を含む繊維の束に十分に浸透しているか否かを検出するよう構成されうる。
【００５０】
図１を参照するに、樹脂計測システム２５６は更に、少なくとも１つのセンサ２５４からの入力に反応して、フォトポリマ樹脂２５２の流れを選択的に増減させるよう構成された、ポンプ２６４を備える。この段落の上述の記載は、本開示の例１３を特徴付けており、例１３は上記の例６から例１２のいずれか１つによる記載も含む。
【００５１】
ポンプ２６４は、一又は複数のセンサ２５４からの入力に基づいて、フォトポリマ樹脂２５２の流れの選択的な増加及び／又は減少を提供する。
【００５２】
図１を概括的に参照しつつ、例えば図４を詳細に参照するに、供給ガイド１１２は、ガイド入口部２８４と、第２入口部２５０と、ガイド出口部２０６であって、それを通って連続可撓性ライン１０６が供給ガイド１１２から出るガイド出口部２０６と、ガイド入口部２８４からガイド出口部２０６へと延びるガイドライン通路１５４とを備える。供給ガイド１１２の第２入口部２５０は、ガイドライン通路１５４と流体連通している。この段落の上述の記載は、本開示の例１４を特徴付けており、例１４は上記の例１による記載も含む。
【００５３】
第２入口部２５０を備える供給ガイド１１２は、送り機構１０４の下流の連続可撓性ライン１０６が供給アセンブリ２６６から出る場所の近くで、フォトポリマ樹脂２５２を非樹脂構成要素１０８に付着させることを容易にする。そのため、液体形態のフォトポリマ樹脂２５２が送り機構１０４の作動を妨害することなく、送り機構１０４は、非樹脂構成要素１０８に係合し、それに直接作用しうる。追加的又は代替的には、かかる構成は、例えば、送り機構１１０が非樹脂構成要素１０８から液体形態のフォトポリマ樹脂２５２をはがし取ることを回避することによって、フォトポリマ樹脂構成要素１１０の作製をより多く制御することを可能にしうる。
【００５４】
図１を参照するに、システム１００は更に、フォトポリマ樹脂２５２を供給ガイド１１２の第２入口部２５０にへと供給するために分配するよう構成された、容器２６２を備える。この段落の上述の記載は、本開示の例１５を特徴付けており、例１５は上記の例１４による記載も含む。
【００５５】
容器２６２は、ある体積のフォトポリマ樹脂２５２を、第２入口部２５０へと供給するために提供する。容器２６２は、複合部品１０２の製造中に補充されてよく、オプションでは、例えば複合部品１０２の中の種々の場所に所望の性質を生じさせるために、複合部品１０２の製造中に種々のフォトポリマ樹脂２５２が補充されうる。
【００５６】
図１を参照するに、システム１００は更に、供給ガイド１１２の第２入口部２５０へのフォトポリマ樹脂２５２の流れを能動的に制御するよう構成された、樹脂計測システム２５６を備える。この段落の上述の記載は、本開示の例１６を特徴付けており、例１６は上記の例１４又は例１５のいずれか１つによる記載も含む。
【００５７】
フォトポリマ樹脂２５２の流れを能動的に制御することによって、所望の体積のフォトポリマ樹脂２５２が、非樹脂構成要素１０８に付着しうる。更に、複合部品１０２の製造中、フォトポリマ樹脂２５２による非樹脂構成要素１０８の所望の飽和レベルが維持及び／又は選択されうる。
【００５８】
図１を概括的に参照しつつ、例えば図４を詳細に参照するに、樹脂計測システム２５６は、ガイドライン通路１５４内のフォトポリマ樹脂２５２の高さを検出するよう構成された、少なくとも１つのセンサ２５４を備える。この段落の上述の記載は、本開示の例１７を特徴付けており、例１７は上記の例１６による記載も含む。
【００５９】
一又は複数のセンサ２５４は、樹脂計測システム２５６が供給ガイド１１２の第２入口部２５０へのフォトポリマ樹脂２５２の流れを能動的に制御する基礎とするために、樹脂計測システム２５６にデータを提供する。
【００６０】
図１を概括的に参照しつつ、例えば図２及び図４を詳細に参照するに、少なくとも１つのセンサ２５４は、供給ガイド１１２の第２入口部２５０よりも上流に配置され、かつ、フォトポリマ樹脂２５２の高さがガイドライン通路１５４内で上方閾値高さ以上である場合にそれを検出するよう構成された、高位センサ２５８を備える。樹脂計測システム２５６は、フォトポリマ樹脂２５２がガイドライン通路１５４内で上方閾値高さ以上になることに反応して、フォトポリマ樹脂２５２の流れを減少させるよう構成される。この段落の上述の記載は、本開示の例１８を特徴付けており、例１８は上記の例１７による記載も含む。
【００６１】
樹脂計測システム２５６は、高位センサ２５８を含むことによって、供給ガイド１１２の上流でフォトポリマ樹脂２５２が不必要にオーバーフローして、例えば、送り機構１０４に流れ込むこと（これは望ましくないかもしれない）を回避するために、フォトポリマ樹脂２５２の流れを能動的に制御しうる。
【００６２】
図１を概括的に参照しつつ、例えば図４を詳細に参照するに、少なくとも１つのセンサ２５４は、フォトポリマ樹脂２５２の高さがガイドライン通路１５４内で下方閾値高さ以下である場合にそれを検出するよう構成された、低位センサ２６０を備える。樹脂計測システム２５６は、フォトポリマ樹脂２５２がガイドライン通路１５４内で下方閾値高さ以下になることに反応して、フォトポリマ樹脂２５２の流れを増加させるよう構成される。この段落の上述の記載は、本開示の例１９を特徴付けており、例１９は上記の例１７又は例１８のいずれか１つによる記載も含む。
【００６３】
樹脂計測システム２５６は、低位センサ２６０を含むことによって、フォトポリマ樹脂２５２の流れを能動的に制御して、十分なフォトポリマ樹脂２５２が非樹脂構成要素１０８に付着していくことを確実にしうる。例えば、低位センサ２６０が、フォトポリマ樹脂２５２がないこと、又はフォトポリマ樹脂２５２が足りないことを検出した場合、次いで樹脂計測システム２５６は、第２入口部２５０への、ひいては非樹脂構成要素１０８への、フォトポリマ樹脂２５２の流れを増加させうる。
【００６４】
図１を概括的に参照しつつ、例えば図４を詳細に参照するに、低位センサ２６０は、第２入口部２５０よりも上流に配置される。この段落の上述の記載は、本開示の例２０を特徴付けており、例２０は上記の例１９による記載も含む。
【００６５】
低位センサ２６０を第２入口部２５０よりも上流に配置することで、フォトポリマ樹脂２５２の高さが許容不可能に低くなり、そのことが非樹脂構成要素１０８の不十分な飽和をもたらす以前に、低位を検出することが、容易になりうる。
図１を概括的に参照しつつ、例えば図４を詳細に参照するに、低位センサ２６０は、第２入口部２５０よりも下流に配置される。この段落の上述の記載は、本開示の例２１を特徴付けており、例２１は上記の例１９による記載も含む。
【００６６】
低位センサ２６０を第２入口部２５０よりも下流に配置することで、フォトポリマ樹脂２５２の許容不可能な低位を検出して、樹脂計測システム２５６が補正措置を行いうることが、容易になりうる。
【００６７】
図１を概括的に参照しつつ、例えば図４を詳細に参照するに、少なくとも１つのセンサ２５４は、フォトポリマ樹脂２５２による非樹脂構成要素１０８の飽和レベルを、供給ガイド１１２から出る以前に検出するよう配置された、飽和センサ２７６を含む。この段落の上述の記載は、本開示の例２２を特徴付けており、例２２は上記の例１７から例２１のいずれか１つによる記載も含む。
【００６８】
連続可撓性ライン１０６が供給ガイド１１２から出る以前に非樹脂構成要素１０８の飽和レベルを検出する位置に、飽和センサ２７６を含むことによって、樹脂計測システム２５６は、連続可撓性ライン１０６が常に、所望の飽和レベルにあるか、又は、最低閾値飽和レベルを上回っていることを確実にするために、使用されうる。
【００６９】
図１を参照するに、樹脂計測システム２５６は更に、少なくとも１つのセンサ２５４からの入力に反応して、フォトポリマ樹脂２５２の流れを選択的に増減させるよう構成された、ポンプ２６４を備える。この段落の上述の記載は、本開示の例２３を特徴付けており、例２３は上記の例１７から例２２のいずれか１つによる記載も含む。
【００７０】
ポンプ２６４は、一又は複数のセンサ２５４からの入力に基づいて、フォトポリマ樹脂２５２の流れの選択的な増加及び／又は減少を提供する。
【００７１】
図１を概括的に参照しつつ、例えば図６及び図７を詳細に参照するに、連続可撓性ライン１０６の非樹脂構成要素１０８は、繊維、炭素繊維、ガラス繊維、合成有機繊維、アラミド繊維、天然繊維、木質繊維、ホウ素繊維、炭化ケイ素繊維、光ファイバ、繊維束、繊維トウ、繊維織り、ワイヤ、金属ワイヤ、導電ワイヤ、又はワイヤ束のうちの一又は複数を含む。この段落の上述の記載は、本開示の例２４を特徴付けており、例２４は上記の例１７から例２３のいずれか１つによる記載も含む。
【００７２】
連続可撓性ライン１０６内に一又は複数の繊維を含むことで、複合部品１０２の所望の性質を選択することが可能になる。更に、繊維の特定の材料の選択及び／又は繊維の特定の構成（例えば、束、トウ、及び／又は織り）の選択が、複合部品１０２の所望の性質の正確な選択を可能にしうる。複合部品１０２の例示的な性質は、強度、剛性、可撓性、硬度、導電性、熱伝導性等を含む。非樹脂構成要素１０８は、特定された例に限定されず、他の種類の非樹脂構成要素１０８も使用されうる。
【００７３】
図６は、フォトポリマ樹脂構成要素１１０のマトリクスの中に非樹脂構成要素１０８として単一の繊維を伴う、連続可撓性ライン１０６を概略的に表している。図７は、フォトポリマ樹脂構成要素１１０のマトリクスの中に非樹脂構成要素１０８として１を上回る数の繊維を伴う、連続可撓性ライン１０６を概略的に表している。
【００７４】
図１を概括的に参照するに、フォトポリマ樹脂２５２は、紫外光フォトポリマ樹脂、可視光フォトポリマ樹脂、赤外光フォトポリマ、又はＸ線フォトポリマ樹脂のうちの少なくとも１つを含む。この段落の上述の記載は、本開示の例２５を特徴付けており、例２５は上記の例１から例２４のいずれか１つによる記載も含む。
【００７５】
紫外光フォトポリマ樹脂、赤外光フォトポリマ樹脂、又はＸ線フォトポリマ樹脂は、可視光による不用意な硬化を回避するため、かつ／又は、連続可撓性ライン１０６のセグメント１２０が供給ガイド１１２から出た後の、連続可撓性ライン１０６のセグメント１２０の部分１２４への硬化エネルギー１１８の正確な方向付けを可能にするために、選択されうる。その一方で、可視光フォトポリマは、供給源１１６が、部分１２４を硬化させるために可視光を供給することしか必要としないように、選択されうる。
【００７６】
図１を概括的に参照するに、システム１００は更に、非樹脂構成要素１０８の発給源１２６を備える。この段落の上述の記載は、本開示の例２６を特徴付けており、例２６は上記の例１から例２５のいずれか１つによる記載も含む。
【００７７】
発給源１２６を備えたシステム１００は、材料であって、それ自体が非樹脂構成要素１０８を決定する材料を含む。発給源１２６は、それが提供される場合には、例えば、第１の所望の性質を備えた第１非樹脂構成要素１０８と、第１の所望の性質とは異なる第２の所望の性質を備えた第２非樹脂構成要素１０８とを含む、一又は複数の非樹脂構成要素１０８を提供しうる。例えば、１を上回る数の非樹脂構成要素１０８が提供される場合、複合部品１０２の所望の性質のために、一又は複数が選択されうる。
【００７８】
図１を概括的に参照するに、非樹脂構成要素１０８の発給源１２６は、非樹脂構成要素１０８のスプール１２８を含む。この段落の上述の記載は、本開示の例２７を特徴付けており、例２７は上記の例２６による記載も含む。
【００７９】
スプール１２８の形態の発給源１２６は、製造工程において容易に補充又は交換される小型の体積で、かなりの長さの非樹脂構成要素１０８を提供しうる。
【００８０】
そのため、送り機構１０４は、非樹脂構成要素１０８をスプール１２８から取り出すか、又は引き出すよう構成されうる。
【００８１】
追加的又は代替的には非樹脂構成要素１０８の発給源１２６は、複数の個別の長さの非樹脂構成要素１０８を含みうる。
【００８２】
図１を概括的に参照しつつ、例えば図８から図１０、図１４、図２１、及び図２３から図２８を詳細に参照するに、硬化エネルギー１１８の供給源１１６は、送り機構１０４がプリントパス１２２に向けて連続可撓性ライン１０６を押し供給ガイド１１２に通すにつれて、連続可撓性ライン１０６のセグメント１２０がプリントパス１２２に沿って堆積された後に、連続可撓性ライン１０６のセグメント１２０の少なくとも部分１２４に、硬化エネルギー１１８を供給するよう構成される。この段落の上述の記載は、本開示の例２８を特徴付けており、例２８は上記の例１から例２７のいずれか１つによる記載も含む。
【００８３】
供給ガイド１１２によりセグメント１２０が堆積された後に連続可撓性ライン１０６のセグメント１２０の部分１２４に硬化エネルギー１１８を供給することによって、部分１２４の中のフォトポリマ樹脂構成要素１１０が少なくとも部分的に硬化され、部分１２４は、供給ガイド１１２によって既に堆積されているセグメント１２０の残りの部分に相関して所望の場所に効果的に確定される。換言すると、供給源１１６は、システム１００によって複合部品１０２が製造されていくにつれて、複合部品１０２の原位置での硬化を提供する。
【００８４】
図１を概括的に参照しつつ、例えば図８から図１０、図１４、図２１、及び図２３から図２８を詳細に参照するに、硬化エネルギー１１８の供給源１１６は、連続可撓性ライン１０６のセグメント１２０の少なくとも部分１２４に、既定の量又は能動的に決定される量の硬化エネルギー１１８を制御された速度で供給するよう構成される。この段落の上述の記載は、本開示の例２９を特徴付けており、例２９は上記の例１から例２８のいずれか１つによる記載も含む。
【００８５】
既定の量又は能動的に決定される量の硬化エネルギー１１８を制御された速度で供給することの結果として、複合部品１０２の製造中のいかなる時点においても、セグメント１２０の部分１２４に関して、所望の硬化レベル又は硬化程度が達成されうる。例えば、複合部品１０２の製造において、１つの部分１２４を別の部分１２４よりも高次に、又は低次に硬化することが望ましいかもしれない。硬化エネルギー１１８の既定の量は、例えば、フォトポリマ樹脂構成要素１１０に使用されるフォトポリマ樹脂に基づきうる。硬化エネルギー１１８の能動的に決定される量は、例えば、連続可撓性ライン１０６が堆積されていくにつれて連続可撓性ライン１０６から検知される、硬度、色、温度、グロウ等を含む（ただしそれらだけに限定されるわけではない）リアルタイムデータに基づきうる。
【００８６】
図１を概括的に参照しつつ、例えば図８から図１０、図１４、図２１、及び図２３から図２８を詳細に参照するに、硬化エネルギー１１８の供給源１１６は、少なくとも１つの光源１３４を備える。少なくとも１つの光源１３４は、一又は複数の硬化レーザを含む。この段落の上述の記載は、本開示の例３０を特徴付けており、例３０は上記の例１から例２９のいずれか１つによる記載も含む。
【００８７】
一又は複数の硬化レーザを含むことは、複合部品１０２の製造中に硬化エネルギー１１８がセグメント１２０の部分１２４に選択的かつ正確に方向付けられうるように、硬化エネルギー１１８が集約され、方向付けられて流れることを容易にする。
【００８８】
図１を概括的に参照しつつ、例えば図８から図１０、図１４、図２１、及び図２３から図２８を詳細に参照するに、硬化エネルギー１１８の供給源１１６は、少なくとも１つの光源１３４を備える。少なくとも１つの光源１３４は、一又は複数の紫外光源を含む。この段落の上述の記載は、本開示の例３１を特徴付けており、例３１は上記の例１から例３０のいずれか１つによる記載も含む。
【００８９】
一又は複数の紫外光源を含むことで、紫外光の存在中で硬化されるよう構成されているフォトポリマ樹脂２５２を使用することが可能になる。
【００９０】
図１を概括的に参照しつつ、例えば図８から図１０、図１４、図２１、及び図２３から図２８を詳細に参照するに、硬化エネルギー１１８の供給源１１６は、少なくとも１つの光源１３４を備える。少なくとも１つの光源１３４は、一又は複数の可視光源を含む。この段落の上述の記載は、本開示の例３２を特徴付けており、例３２は上記の例１から例３１のいずれか１つによる記載も含む。
【００９１】
一又は複数の可視光源を含むことで、可視光の存在中で更に硬化されるよう構成されているフォトポリマ樹脂２５２を使用することが可能になる。
【００９２】
図１を概括的に参照しつつ、例えば図８から図１０、図１４、図２１、及び図２３から図２８を詳細に参照するに、硬化エネルギー１１８の供給源１１６は、少なくとも１つの光源１３４を備える。少なくとも１つの光源１３４は、一又は複数の赤外光源を含む。この段落の上述の記載は、本開示の例３３を特徴付けており、例３３は上記の例１から例３２のいずれか１つによる記載も含む。
【００９３】
一又は複数の赤外光源を含むことで、赤外光の存在中で更に硬化されるよう構成されているフォトポリマ樹脂２５２を使用することが可能になる。
【００９４】
可視光源、紫外光源、及び赤外光源に加えて、Ｘ線源も、Ｘ線フォトポリマ樹脂に関連して使用されうる。
【００９５】
図１を概括的に参照するに、硬化エネルギー１１８の供給源１１６は熱源１３６を含む。この段落の上述の記載は、本開示の例３４を特徴付けており、例３４は上記の例１から例３３のいずれか１つによる記載も含む。
【００９６】
熱源１３６を含むことで、熱の存在中で硬化されるよう構成されているフォトポリマ樹脂２５２を使用することが可能になる。
【００９７】
図１を概括的に参照しつつ、例えば図１０、及び図２３から図２９を詳細に参照するに、硬化エネルギー１１８の供給源１１６は、供給アセンブリ２６６に作動的に連結され、供給ガイド１１２と共に動くよう構成される。この段落の上述の記載は、本開示の例３５を特徴付けており、例３５は上記の例１から例３４のいずれか１つによる記載も含む。
【００９８】
そのため、供給源１１６は、硬化エネルギー１１８がセグメント１２０の部分１２４に常に方向付けられるように、かつ、供給ガイド１１２が動くにつれて、供給源１１８が供給ガイド１１２と共に動くように、配置され、位置合わせされ、若しくは構成されうる。その結果として、供給源１１６は、供給ガイド１１２が表面１１４に対して、及び／又はその逆に、動くにつれて、セグメント１２０の部分１２４への硬化エネルギー１１８の供給を維持するための、複雑な機構を含む必要がなくなる。
【００９９】
図１を概括的に参照しつつ、例えば図２３から図２５を詳細に参照するに、硬化エネルギー１１８の供給源１１６は、供給ガイド１１２に対して回転可能である。この段落の上述の記載は、本開示の例３６を特徴付けており、例３６は上記の例１から例３５のいずれか１つによる記載も含む。
【０１００】
供給源１１６は、供給ガイド１１２に対して回転可能であることによって、供給ガイド１１２が表面１１４に対して、及び／又はその逆に、動く（方向を変えることも含む）につれて、セグメント１２０の部分１２４に硬化エネルギー１１８を供給するよう、選択的に配置されうる。
【０１０１】
図１を概括的に参照しつつ、例えば図２３から図２９を詳細に参照するに、硬化エネルギー１１８の供給源１１６は、供給ガイド１１２が表面１１４に対して動く時に、供給ガイド１１２を追跡するよう構成される。この段落の上述の記載は、本開示の例３７を特徴付けており、例３７は上記の例１から例３６のいずれか１つによる記載も含む。
【０１０２】
供給源１１６は、供給ガイド１１２を追跡することによって、部分１２４が供給ガイド１１２から出た直後にセグメント１２０の部分１２４に硬化エネルギー１１８を供給するよう、選択的に配置される。
【０１０３】
図１を概括的に参照しつつ、例えば図１０、図１１、及び図２１を詳細に参照するに、硬化エネルギー１１８の供給源１１６は、連続可撓性ライン１０６のセグメント１２０と交差する、硬化エネルギー１１８のリング１４８を供給するよう構成される。この段落の上述の記載は、本開示の例３８を特徴付けており、例３８は上記の例１から例３７のいずれか１つによる記載も含む。
【０１０４】
硬化エネルギー１１８のリング１４８がセグメント１２０と交差する時に、リング１４８は、供給ガイド１１２が表面１１４に対して、及び／又はその逆に、動くにつれて、セグメント１２０が供給ガイド１１２から出ていく方向にかかわらず、硬化エネルギー１１８が部分１２４に供給されることを、確実にする。
【０１０５】
硬化エネルギー１１８のリング１４８は、任意の好適なプロセス及び／又は構造によって画定されうる。例えば、図１０を参照するに、かつ本書に記載されているように、供給ガイド１１２は硬化エネルギー通路１４６を備えてよく、硬化エネルギー１１８の供給源１１６は、硬化エネルギー１１８がリング１４８を画定するように、硬化エネルギー通路１４６を通じて硬化エネルギー１１８を供給するよう構成されうる。追加的又は代替的には、図２１を参照するに、こちらも本書に記載されているように、エネルギー源１１６は、セグメント１２０の部分１２４に硬化エネルギー１１８のリング１４８を供給するよう構成されている、少なくとも１つの検流式鏡位置決めシステム（ｇａｌｖａｎｏｍｅｔｅｒ  ｍｉｒｒｏｒ−ｐｏｓｉｔｉｏｎｉｎｇ  ｓｙｓｔｅｍ）１５０を備えうる。
【０１０６】
図１を概括的に参照しつつ、例えば図２１を詳細に参照するに、硬化エネルギー１１８の供給源１１６は、供給ガイド１１２と共に動くようには構成されない。この段落の上述の記載は、本開示の例３９を特徴付けており、例３９は上記の例１から例３４のいずれか１つによる記載も含む。
【０１０７】
システム１００のかかる例は、供給ガイド１１２に関連付けられたより扱いやすいアセンブリを提供し、例えば製造されている複合部品１０２の構成、及びその所望の性質に基づいて、供給ガイド１１２が、表面１１４に対して、及び／又はその逆に、より容易に微細な移動及び旋回、又は角度変更を行うことを可能にしうる。
【０１０８】
図２１は、エネルギー源１１６は、供給ガイド１２０が表面１１４に対して動く際に供給ガイド１１２に対して静止している２つの検流式鏡位置決めシステム１５０を備えるが、検流式鏡位置決めシステム１５０は、連続可撓性ライン１０６が供給ガイド１１２から出るにつれてそのセグメント１２０の部分１２４に硬化エネルギー１１８を供給するよう構成されている、システム１００の一例を提供している。
【０１０９】
図１を概括的に参照しつつ、例えば図２１を詳細に参照するに、硬化エネルギー１１８の供給源１１６は、表面１１４に対する供給ガイド１１２の移動に対応して連続可撓性ライン１０６のセグメント１２０の少なくとも部分１２４に硬化エネルギー１１８を供給するよう構成された、少なくとも１つの検流式鏡位置決めシステム１５０を備える。この段落の上述の記載は、本開示の例４０を特徴付けており、例４０は上記の例１から例３４、及び例３９のいずれか１つによる記載も含む。
【０１１０】
換言すると、一又は複数の検流式鏡位置決めシステム１５０は、連続可撓性ライン１１２が供給ガイド１１２から出るにつれて、セグメント１２０の部分１２４に硬化エネルギー１１８を能動的に方向付けうる。
【０１１１】
図８を参照するに、硬化エネルギー１１８の供給源１１６は、連続可撓性ライン１０６のセグメント１２０の第１層１４０を、第１層１４０の少なくとも一部分が表面１１４に接して供給ガイド１１２によって堆積されていくにつれて部分的に硬化するよう、かつ、第２層１４２が第１層１４０に接して供給ガイド１１２によって堆積されていくにつれて、第１層１４０を更に硬化し、第２層１４２を部分的に硬化するよう、構成される。この段落の上述の記載は、本開示の例４１を特徴付けており、例４１は上記の例１から例４０のいずれか１つによる記載も含む。
【０１１２】
第１層１４０が堆積されていくにつれて第１層１４０を部分的にのみ硬化することによって、第１層１４０は、粘着性を保ち、又はねばねばしたままでありうる。それによって、第２層１４２が第１層１４０に接して堆積されるにつれて第１層１４０に第２層１４２を接着することが、容易になりうる。次いで、第２層１４２に接する後続層が堆積される間に第２層１４２が部分的に硬化されていくにつれて、第１層１４０は更に硬化され、以下同様である。
【０１１３】
第１層１４０を更に硬化することによって、第１層１４０が完全に硬化されうるか、又は、完全硬化に至らない程度に硬化されうることが、意図される。例えば、一部の応用では、システム１００による製造における完全硬化に至らない程度の複合部品１０２の硬化が、例えばシステム１００から分離されたプロセスで、複合部品１０２全体が完全に硬化される前の複合部品１０２に対する後続加工を可能にすることが、望ましいかもしれない。例えば、複合部品１０２は、最終硬化のために、ベーキングされ、加熱され、かつ／又はオートクレーブに入れられうる。
【０１１４】
図１を概括的に参照しつつ、例えば図８を詳細に参照するに、硬化エネルギー１１８の供給源１１６は、連続可撓性ライン１０６のセグメント１２０の第１層１４０を、第１層１４０の少なくとも一部分が表面１１４に接して供給ガイド１１２によって堆積されていくにつれて部分的に硬化するよう、かつ、第２層１４２が第１層１４０に接して供給ガイド１１２によって堆積されていくにつれて、第１層１４０を完全に硬化し、第２層１４２を部分的に硬化するよう、構成される。この段落の上述の記載は、本開示の例４２を特徴付けており、例４２は上記の例１から例４０のいずれか１つによる記載も含む。
【０１１５】
繰り返すが、第１層１４０が堆積されていくにつれて第１層１４０を部分的にのみ硬化することによって、第１層１４０は、粘着性を保ち、又はねばねばしたままでありうる。それによって、第２層１４２が第１層１４０に接して堆積されるにつれて第１層１４０に第２層１４２を接着することが、容易になりうる。しかし、この例４２により、第２層１４２が部分的に硬化されていくにつれて、第１層１４０は完全に硬化される。
【０１１６】
図１を概括的に参照しつつ、例えば図２３を詳細に参照するに、システム１００は更に粗面機１４４を備える。硬化エネルギー１１８の供給源１１６は、粗面機１４４を用いて部分１２４の表面を研磨する以前に、連続可撓性ライン１０６のセグメント１２０の少なくとも部分１２４に、硬化エネルギー１１８を供給するよう構成される。この段落の上述の記載は、本開示の例４３を特徴付けており、例４３は上記の例１から例４２のいずれか１つによる記載も含む。
【０１１７】
粗面機１４４は、それが存在する場合には、部分１２４を研磨し、その表面積を、そこに接して堆積される後続層の接着をより良好にするために増大させる。更に、硬化エネルギー１１８の部分１２４への供給の後にはフォトポリマ樹脂構成要素１１０の粘性が低下することから、粗面機（１４４）が部分１２４を研磨する以前に硬化エネルギー１１８を部分１２４に供給することによって、増大した表面積が元に戻ることも、研磨の程度が低い状態に戻ることもなくなりうる。
【０１１８】
図１を概括的に参照するに、システム１００は更に、粗面機１４４を備える。硬化エネルギー１１８の供給源１１６は、粗面機１４４を用いて部分１２４の表面を研磨した後に、連続可撓性ライン１０６のセグメント１２０の少なくとも部分１２４に、硬化エネルギー１１８を供給するよう構成される。この段落の上述の記載は、本開示の例４４を特徴付けており、例４４は上記の例１から例４２のいずれか１つによる記載も含む。
【０１１９】
例４３と対照的に、例４４は、部分１２４の増大した表面積又は研磨が、そこに接して連続可撓性ライン１０６の後続層が堆積されるまでそれが所望の研磨状態に保たれるように、硬化エネルギー１１８によって少なくとも一時的に確定されることを、可能にしうる。
【０１２０】
図１を概括的に参照しつつ、例えば図２３から図２５を詳細に参照するに、システム１００は更に、供給ガイド１１２が表面１１４に対して動くにつれて枢動アーム１５２が供給ガイド１１２を追跡するように、供給ガイド１１２に相関して連結された、枢動アーム１５２を備える。硬化エネルギー１１８の供給源１１６は、枢動アーム１５２に連結される。この段落の上述の記載は、本開示の例４５を特徴付けており、例４５は上記の例１から例３８のいずれか１つによる記載も含む。
【０１２１】
例３６及び例３７と同様に、供給源１１６は、枢動アーム１５２に連結されることによって、部分１２４が供給ガイド１１２から出た直後にセグメント１２０の部分１２４に硬化エネルギー１１８を供給するよう、選択的に配置される。
【０１２２】
図１を概括的に参照しつつ、例えば図２３から図２５を詳細に参照するに、システム１００は更に、枢動アーム１５２に作動的に連結され、かつ、供給ガイド１１２が表面１１４に対して動くにつれて、供給ガイド１１２に対する枢動アーム１５２の回転位置を能動的に制御するよう構成された、枢動アームアクチュエータ１８８を備える。この段落の上述の記載は、本開示の例４６を特徴付けており、例４６は上記の例４５による記載も含む。
【０１２３】
枢動アームアクチュエータ１８８は、供給ガイド１１２に対する枢動アーム１５２の回転位置を能動的に制御することによって、供給源１１６が、部分１２４が供給ガイド１１２から出た直後にセグメント１２０の部分１２４に硬化エネルギー１１８を供給するよう選択的に配置されるように、供給源１１６が供給ガイド１１２を追跡することを、確実にする。
【０１２４】
図１を概括的に参照しつつ、例えば図２３から図２５を詳細に参照するに、枢動アームアクチュエータ１８８は、枢動アーム１５２の回転位置を、表面１１４に対する供給ガイド１１２の移動に能動的に連携させるよう構成される。この段落の上述の記載は、本開示の例４７を特徴付けており、例４７は上記の例４６による記載も含む。
【０１２５】
枢動アームアクチュエータ１８８は、供給ガイド１１２に対して枢動アーム１５２の回転位置を能動的に連携させることによって、供給源１１６が、部分１２４が供給ガイド１１２から出た直後にセグメント１２０の部分１２４に硬化エネルギー１１８を供給するよう選択的に配置されるように、供給源１１６が供給ガイド１１２を追跡することを、確実にする。
【０１２６】
図１を概括的に参照しつつ、例えば図３、図４、及び図２３から図３０を詳細に参照するに、送り機構１０４は供給ガイド１１２に連結される。この段落の上述の記載は、本開示の例４８を特徴付けており、例４８は上記の例１から例４７のいずれか１つによる記載も含む。
【０１２７】
供給ガイド１１２に連結された送り機構１０４を有することで、送り機構１０４が、供給ガイド１１２を通して連続可撓性ライン１０６を作動的に押しうることが、容易になる。
【０１２８】
図１を概括的に参照しつつ、例えば図３、図４、及び図２３から図３０を詳細に参照するに、供給ガイド１１２は送り機構１０４から延びる。この段落の上述の記載は、本開示の例４９を特徴付けており、例４９は上記の例１から例４８のいずれか１つによる記載も含む。
【０１２９】
供給ガイド１１２は、送り機構１０４から延びることによって、プリントパス１２２に沿った所望の場所に連続可撓性ライン１０６を選択的に堆積するように配置されうる。
【０１３０】
図１を概括的に参照しつつ、例えば図３、図４、及び図２３から図３０を詳細に参照するに、供給ガイド１１２は、ガイド入口部２８４と、ガイド出口部２０６であって、それを通って連続可撓性ライン１０６が供給ガイド１１２から出るガイド出口部２０６と、ガイド入口部２８４からガイド出口部２０６へと延びるガイドライン通路１５４とを備える。送り機構１０４は、ガイドライン通路１５４を通して連続可撓性ライン１０６を押すよう構成される。送り機構１０４は、支持フレーム１５６と、それぞれの回転軸１５９を有する対向ローラ１５７とを備える。対向ローラ１５７は、支持フレーム１５６に回転可能に連結される。対向ローラ１５７は、連続可撓性ライン１０６又は非樹脂構成要素１０８の両側に係合するよう構成される。対向ローラ１５７は、ライン通路１５４を通して連続可撓性ライン１０６を押すために、選択的に回転するよう構成される。この段落の上述の記載は、本開示の例５０を特徴付けており、例５０は上記の例１から例４９のいずれか１つによる記載も含む。
【０１３１】
支持フレーム１５６は、対向ローラ１５７を含む送り機構１０４の構成要素部分のための支持を提供する。対向ローラ１５７は、選択的に回転する時に、連続可撓性ライン１０６又は非樹脂構成要素１０８に摩擦係合するよう作用し、それによって、対向ローラ１５７の間に連続可撓性ライン１０６又は非樹脂構成要素１０８を送り、それを入口部２８４の中へ押し込んで、ガイドライン通路１５４に通す。
【０１３２】
送り機構１０４の上流でフォトポリマ樹脂２５２が非樹脂構成要素１０８に付着する、システム１００の例では、対向ローラは連続可撓性ライン１０６の両側に係合する。送り機構１０４の下流でフォトポリマ樹脂２５２が非樹脂構成要素１０８に付着する、システム１００の例では、対向ローラは非樹脂構成要素１０８の両側に係合する。
【０１３３】
図３及び図４を概括的に参照しつつ、例えば図２９及び図３０を詳細に参照するに、対向ローラ１５７は互いに接触している。この段落の上述の記載は、本開示の例５１を特徴付けており、例５１は上記の例５０による記載も含む。
【０１３４】
対向ローラ１５７間の接触で、対向ローラ１５７が共に回転することが確実になり、連続可撓性ライン１０６又は非樹脂構成要素１０８がローラ間に引き込まれる際にそれを曲げるか、若しくはそれに内部湾曲付勢をもたらすことになる、不均一なトルクの付与が回避されうる。追加的又は代替的には、対向ローラ１５７間の接触で、対向ローラ１５７の一方のみはモータによって直接駆動されるが、対向ローラ１５７の他方は、被駆動ローラに係合されている結果として単に回転することが、可能になりうる。
【０１３５】
図３及び図４を概括的に参照しつつ、例えば図２９及び図３０を詳細に参照するに、対向ローラ１５７の各々は、連続可撓性ライン１０６又は非樹脂構成要素１０８に接触するよう構成された、円周チャネル１６１を備える。この段落の上述の記載は、本開示の例５２を特徴付けており、例５２は上記の例５０又は例５１のいずれか１つによる記載も含む。
【０１３６】
対向ローラ１５７の各々に円周チャネル１６１を含むことにより、連続可撓性ライン１０６又は非樹脂構成要素１０８が延びうる通路が作り出され、対向ローラ１５７と連続可撓性ライン１０６又は非樹脂構成要素１０８との接触の表面積がより大きくなり、それによって、連続可撓性ライン１０６又は非樹脂構成要素１０８がガイド入口部２８４の中に押し込まれ、ガイドライン通路１５４に通されることが、容易になる。
【０１３７】
図３及び図４を概括的に参照しつつ、例えば図２９及び図３０を詳細に参照するに、対向ローラ１５７の一方は、連続可撓性ライン１０６に接触するよう構成された、円周チャネル１６１を備える。この段落の上述の記載は、本開示の例５３を特徴付けており、例５３は上記の例５０又は例５１のいずれか１つによる記載も含む。
【０１３８】
例５２と同様に、１つの円周チャネル１６１を含むことで、連続可撓性ライン１０６又は非樹脂構成要素１０８が延びうる通路が作り出され、対向ローラ１５７と連続可撓性ライン１０６又は非樹脂構成要素１０８との接触の表面積がより大きくなり、それによって、連続可撓性ライン１０６又は非樹脂構成要素１０８がガイド入口部２８４の中に押し込まれ、ガイドライン通路１５４に通されることが、容易になる。
【０１３９】
図１を概括的に参照しつつ、例えば図２９及び図３０を詳細に参照するに、対向ローラ１５７は別様にサイズ決定される。この段落の上述の記載は、本開示の例５４を特徴付けており、例５４は上記の例５０から例５３のいずれか１つによる記載も含む。
【０１４０】
別様にサイズ決定された対向ローラ１５７は、送り機構１０４の効率的なパッケージングを可能にしうる。追加的又は代替的には、別様にサイズ決定された対向ローラ１５７は、被駆動ローラ１５８とアイドルローラ１６０との間での所望のトルク伝達を提供しうる。
【０１４１】
図１を概括的に参照しつつ、例えば図３及び図４を詳細に参照するに、対向ローラ１５７は一様にサイズ決定される。この段落の上述の記載は、本開示の例５５を特徴付けており、例５５は上記の例５０から例５３のいずれか１つによる記載も含む。
【０１４２】
一様にサイズ決定された対向ローラ１５７は、送り機構１０４の効率的なパッケージングを可能にしうる。追加的又は代替的には、一様にサイズ決定された対向ローラ１５７は、被駆動ローラ１５８とアイドルローラ１６０との間での所望のトルク伝達を提供しうる。
【０１４３】
図１を概括的に参照しつつ、例えば図４、及び図２３から図３１を詳細に参照するに、送り機構１０４は更に、対向ローラ１５７の少なくとも一方に作動的に連結され、かつ、対向ローラ１５７の少なくとも一方を選択的に回転させるよう構成された、モータ１６２を備える。この段落の上述の記載は、本開示の例５６を特徴付けており、例５６は上記の例５０から例５５のいずれか１つによる記載も含む。
【０１４４】
モータ１６２は、送り機構１０４が供給ガイド１１２を通して連続可撓性ライン１０６を押すために対向ローラ１５７を回転させる、原動力を提供する。
【０１４５】
図１を概括的に参照しつつ、例えば図４、及び図２９から図３１を詳細に参照するに、対向ローラ１５７は、連続可撓性ライン１０６又は非樹脂構成要素１０８の両側に作動的に係合するための、モータ１６２に作動的に連結された被駆動ローラ１５８と、被駆動ローラ１５８に向けて付勢されたアイドルローラ１６０とを備える。この段落の上述の記載は、本開示の例５７を特徴付けており、例５７は上記の例５６による記載も含む。
【０１４６】
被駆動ローラ１５８に向けて付勢されたアイドルローラ１６０を有することによって、アイドルローラ１６０は、送り機構１０４が供給ガイド１１２を通して連続可撓性ライン１０６を押すために、モータによって直接駆動される必要がなくなる。その代わりに、アイドルローラ１６０は、アイドルローラ１６０が被駆動ローラ１５８に係合していることによって、かつ／又は、被駆動ローラ１５８に係合されている連続可撓性ライン１０６又は非樹脂構成要素１０８に係合していることによって、回転する。
【０１４７】
アイドルローラ１６０は、コイルばねのようなばねでありうる付勢部材１６４によって、被駆動ローラ１５８に向けて付勢されうる。
【０１４８】
図１を概括的に参照しつつ、例えば図２９から図３１を詳細に参照するに、送り機構１０４は更に、ロッカアーム１６９を備える。ロッカアーム１６９は、支持フレーム１５６に枢動可能に連結される。アイドルローラ１６０は、ロッカアーム１６９に回転式に連結される。ロッカアーム１６９は、アイドルローラ１６０が被駆動ローラ１５８に向けて付勢されるように、支持フレーム１５６に相関して付勢される。ロッカアーム１６９は、アイドルローラ１６０を、被駆動ローラ１５８から遠ざかるように選択的に枢動させるよう構成される。この段落の上述の記載は、本開示の例５８を特徴付けており、例５８は上記の例５７による記載も含む。
【０１４９】
ロッカアーム１６９は、ユーザが、アイドルローラ１６０を係合し、付勢部材１６４の付勢に抗して被駆動ローラ１５８から遠ざかるように枢動させるための構造を提供する。そのため、ユーザは、例えば、システム１００の初期セットアップ時に対向ローラ１５７の間への連続可撓性ライン１０６又は非樹脂構成要素１０８の初期挿入を容易にするために、かつ／又は、複合部品１０２の製造中に連続可撓性ライン１０６又は非樹脂構成要素１０８を変化させるために、アイドルローラ１６０を選択的に枢動させうる。
【０１５０】
本書で使用される「付勢する（ｔｏ  ｂｉａｓ）」とは、一定の強度を有することも、有しないこともありうる力を、連続的に印加することを意味する。
【０１５１】
図１を概括的に参照しつつ、例えば図２９から図３１を詳細に参照するに、送り機構１０４は更に、アイドルローラ１６０を被駆動ローラ１５８に向けて付勢するためにロッカアーム１６９に印加される力を選択的に調整するよう構成された、ロッカアーム調整器１７１を備える。この段落の上述の記載は、本開示の例５９を特徴付けており、例５９は上記の例５８による記載も含む。
【０１５２】
ロッカアーム調整器１７１は、ユーザが、被駆動ローラ１５８に向かうアイドルローラ１６０の付勢力、ひいては、対向ローラ１５７の間の連続可撓性ライン１０６に印加される力を、選択的に調整することを可能にする。例えば、種々の強度の力が、システム１００によって使用されうる種々の構成及び／又は種々のサイズの連続可撓性ライン１０６の種々の材料特性と関連する、システム１００の作動を容易にする。
【０１５３】
図１を概括的に参照しつつ、例えば図３、図４、図２９、及び図３０を詳細に参照するに、供給ガイド１１２は更に、第１端部１６３、第２端部１６５、及び、第１端部１６３と第２端部１６５との間の接合部１６７を備える。第１端部１６３は対向ローラ１５７の一方を補完するよう形作られ、第２端部１６５は、対向ローラ１５７の他方を補完するよう形作られる。この段落の上述の記載は、本開示の例６０を特徴付けており、例６０は上記の例５０から例５９のいずれか１つによる記載も含む。
【０１５４】
対向ローラ１５７を補完する第１端部１６３及び第２端部１３５を有することで、供給ガイド１１２は、対向ローラ１５７の直近に配置されうる。そのため、送り機構１０４が連続可撓性ライン１０６又は非樹脂構成要素１０８を、供給ガイド１１２の中に押し込んで通す時に、連続可撓性ライン１０６又は非樹脂構成要素１０８が、バンチングし、よじれ、詰まり、若しくは、送り機構１０４から供給ガイド１１２へと不適切に送り込まれる可能性が低くなる。
【０１５５】
図１を概括的に参照しつつ、例えば図３及び図４を参照するに、接合部１６７と、対向ローラ１５７のそれぞれの回転軸１５９を包含する平面１７３との間の最短距離Ｄは、対向ローラ１５７の小さい方の半径よりも短い。この段落の上述の記載は、本開示の例６１を特徴付けており、例６１は上記の例６０による記載も含む。
【０１５６】
繰り返すが、例えば平面１７３の距離Ｄの範囲内に接合部１６７がある状態で、対向ローラ１５７の直近に供給ガイド１１２を有することで、連続可撓性ライン１０６は、作動的に、供給ガイド１１２の中に押し込まれて通されうる。
【０１５７】
図１を概括的に参照しつつ、例えば図３、図４、図２９、及び図３０を詳細に参照するに、接合部１６７はエッジを備える。この段落の上述の記載は、本開示の例６２を特徴付けており、例６２は上記の例６０又は例６１のいずれか１つによる記載も含む。
【０１５８】
接合部１６７がエッジを備える場合、エッジは、対向ローラ１５７の間の界面、及び、対向ローラ１５７と連続可撓性ライン１０６と間の界面の直近に配置されうる。
【０１５９】
いくつかの例では、エッジは線形でありうる。いくつかの例では、エッジは鋭いエッジでありうる。いくつかの例では、エッジは丸みを帯びたエッジでありうる。
【０１６０】
図１を概括的に参照しつつ、例えば図３、図４、図２９、及び図３０を詳細に参照するに、送り機構１０４は更に、対向ローラ１５７が回転して連続可撓性ライン１０６を選択的に直進させ、ガイドライン通路１５４を通して連続可撓性ライン１０６を押す際に対向ローラ１５７と連続可撓性ライン１０６との係合によって発生した、フォトポリマ樹脂構成要素１１０の残留物を除去するために、対向ローラ１５７の少なくとも一方と接触しているスクレーパ１７２を備える。この段落の上述の記載は、本開示の例６３を特徴付けており、例６３は上記の例５０から例６２のいずれか１つによる記載も含む。
【０１６１】
スクレーパ１７２は、対向ローラ上に樹脂が蓄積して送り機構１０４の作動を妨害しないことを確実にするために、対向ローラ１５７からフォトポリマ樹脂構成要素１１０の残留物を除去する。
【０１６２】
スクレーパ１７２は、対向ローラ１５７から樹脂を作動的に除去するか、又はこすり取るために、任意の好適な形態をとりうる。例えば、図２７から図２８を参照するに、スクレーパ１７２は、対向ローラ１５７の一方の、例えば３ｍｍ、２ｍｍ、１ｍｍ、０．５ｍｍ以内の直近に延びるか、又は、対向ローラ１５７の一方に物理的に係合するように延びる、長方形等の突起でありうる。より具体的には、図２７から図２８で分かるように、スクレーパ１７２は、対向ローラ１５７の、対向ローラが連続可撓性ライン１０６に係合する領域の近くに延びうる。
【０１６３】
図５を参照するに、対向ローラ１５７の少なくとも一方は、連続可撓性ライン１０６に接触するよう構成された、円周チャネル１６１を備える。スクレーパ１７２は、対向ローラ１５７が回転して連続可撓性ライン１０６を選択的に直進させ、ライン通路１５４を通して連続可撓性ライン１０６を押す際に、円周チャネル１６１と連続可撓性ライン１０６との係合によって発生した、フォトポリマ樹脂構成要素１１０の残留物を、円周チャネル１６１から除去するよう構成された、突起１７５を備える。この段落の上述の記載は、本開示の例６４を特徴付けており、例６４は上記の例６３による記載も含む。
【０１６４】
円周チャネル１６１を含む対向ローラ１５７の例では、対向ローラ１５７内に延びる突起１７５を有するスクレーパ１７２は、対向ローラ１５７と連続可撓性ライン１０６との係合によって発生した、フォトポリマ樹脂構成要素１１０のいかなる残留物もこすり取ること、又は除去することを容易にする。
【０１６５】
図１を概括的に参照しつつ、例えば図３、図４、図２９、及び図３０を詳細に参照するに、送り機構１０４は更に、支持フレーム１５６に連結された収集リザーバ１７４を備える。収集リザーバ１７４は、スクレーパ１７２によって除去されたフォトポリマ樹脂構成要素１１０の残留物を収集するよう構成される。この段落の上述の記載は、本開示の例６５を特徴付けており、例６５は上記の例６３又は例６４のいずれか１つによる記載も含む。
【０１６６】
上述のように、収集リザーバ１７４は、スクレーパ１７２によって除去される残留物を収集する。そのため、残留物は、送り機構１０４の他の構成要素と干渉せず、複合部品１０２の製造を妨害する望ましくない粒子をもたらすことはない。更に、収集リザーバ１７４は、例えば、一杯になった時、又は、システム１００によって実行されるプロセスの終了時に、ユーザによって選択的に空にされうる。
【０１６７】
図１を概括的に参照しつつ、例えば図９から図１１を詳細に参照するに、供給ガイド１１２は更に、硬化エネルギー通路１４６を備える。硬化エネルギー１１８の供給源１１６は、連続可撓性ライン１０６のセグメント１２０の少なくとも部分１２４へと、硬化エネルギー通路１４６を通じて硬化エネルギー１１８を供給するよう構成される。硬化エネルギー通路１４６は、ガイドライン通路１５４から光学的に隔離される。この段落の上述の記載は、本開示の例６６を特徴付けており、例６６は上記の例５０から例６５のいずれか１つによる記載も含む。
【０１６８】
例６６によるシステムは、連続可撓性ライン１０６が供給ガイド１１２から出ていくにつれて、部分１２４への硬化エネルギー１１８の正確な方向付けを提供する。更に、硬化エネルギー通路１４６は、ガイドライン通路１５４から光学的に隔離されることによって、硬化エネルギー１１８が、連続可撓性ライン１０６が供給ガイド１１２から出る前の連続可撓性ライン１０６に接触することを制限する。
【０１６９】
例６６により（例えば図１０を参照するに）、硬化エネルギー１１８の硬化エネルギー通路１４６からの退出が、例えば本書の例３８による、硬化エネルギー１１８のリング１４８をもたらすように、硬化エネルギー通路１４６は、ガイドライン通路１５４を取り囲んでよく、ガイドライン通路１５４のガイド出口部２０６の周囲に環状の出口部を有しうる。
【０１７０】
図１を概括的に参照しつつ、例えば図１２から図１６、及び図２３から図２５を詳細に参照するに、システム１００は更に、圧縮機１３８を備える。硬化エネルギー１１８の供給源１１６は、圧縮機１３８による圧縮後の場所の、連続可撓性ライン１０６のセグメント１２０の少なくとも部分１２４に、硬化エネルギー１１８を供給するよう構成される。この段落の上述の記載は、本開示の例６７を特徴付けており、例６７は上記の例１から例６６のいずれか１つによる記載も含む。
【０１７１】
圧縮機１３８は、プリントパス１２２に沿って供給ガイド１１２によって堆積された、連続可撓性ライン１０６の隣接する層を圧縮する。圧縮機１３８による圧縮に続いて硬化エネルギー１１８が部分１２４に供給されると、このことは、連続可撓性ライン１０６のフォトポリマ樹脂構成要素１１０の硬化又は固化以前の圧縮の発生を可能にする。
【０１７２】
図１を概括的に参照しつつ、例えば図１２から図１６及び図２３から図２５を詳細に参照するに、システム１００は更に、供給アセンブリ２６６に作動的に連結され、かつ、連続可撓性ライン１０６のセグメント１２０が供給ガイド１１２から出た後に、連続可撓性ライン１０６のセグメント１２０の少なくとも区域１８０に圧縮力を付与するよう構成された、圧縮機１３８を備える。この段落の上述の記載は、本開示の例６８を特徴付けており、例６８は上記の例１から例６７のいずれか１つによる記載も含む。
【０１７３】
繰り返すが、圧縮機１３８は、プリントパス１２２に沿って供給ガイド１１２によって堆積された、連続可撓性ライン１０６の隣接する層を圧縮する。
【０１７４】
図１を概括的に参照しつつ、例えば図１２から図１４を詳細に参照するに、圧縮機１３８は、連続可撓性ライン１０６のセグメント１２０が供給ガイド１１２から出た後に、連続可撓性ライン１０６のセグメント１２０の少なくとも区域１８０の上を転がるよう構成されている圧縮ローラ表面１８４を有する、圧縮ローラ１８２を備える。この段落の上述の記載は、本開示の例６９を特徴付けており、例６９は上記の例６８による記載も含む。
【０１７５】
圧縮ローラ１８２は、圧縮機１３８の代替例と比較すると、圧縮中に、セグメント１２０に沿ったフォトポリマ樹脂構成要素１１０の軸方向移動を減少させうる。加えて、圧縮機１３８の代替例と比較すると、圧縮ローラ１８２は、圧縮力のより望ましい、直角又は垂直な成分を提供しうる。
【０１７６】
図１を概括的に参照しつつ、例えば図１２を詳細に参照するに、圧縮ローラ表面１８４はテクスチャ加工される。この段落の上述の記載は、本開示の例７０を特徴付けており、例７０は上記の例６９による記載も含む。
【０１７７】
圧縮ローラ表面１８４がテクスチャ加工されると、圧縮ローラ表面１８４は、セグメント１２０にテクスチャを付与するか、又はセグメント１２０を研磨し、その表面積を、そこに接して堆積される連続可撓性ライン１０６の後続層の接着をより良好にするために増大させる。
【０１７８】
図１を概括的に参照しつつ、例えば図１３を詳細に参照するに、圧縮ローラ表面１８４は、連続可撓性ライン１０６のセグメント１２０が供給ガイド１１２から出た後に、連続可撓性ライン１０６のセグメント１２０の少なくとも区域１８０に既定の断面形状を付与するよう形作られる。この段落の上述の記載は、本開示の例７１を特徴付けており、例７１は上記の例６９又は例７０のいずれか１つによる記載も含む。
【０１７９】
一部の応用では、連続可撓性ライン１０６が供給ガイド１１２によって堆積されていくにつれて、それに既定の断面形状を付与することが望ましいかもしれない。
【０１８０】
図１を概括的に参照しつつ、例えば図１５を詳細に参照するに、圧縮機１３８は、連続可撓性ライン１０６のセグメント１２０が供給ガイド１１２から出た後に、連続可撓性ライン１０６のセグメント１２０の少なくとも区域１８０に接して引きずられるよう構成されているワイパドラッグ表面１８６を有する、圧縮ワイパ１８５を備える。この段落の上述の記載は、本開示の例７２を特徴付けており、例７２は上記の例６８による記載も含む。
【０１８１】
圧縮ワイパ１８５は、圧縮機１３８の代替例と比較すると、圧縮中に、セグメント１２０に沿ったフォトポリマ樹脂構成要素１１０の軸方向移動を増大させうる。
【０１８２】
図１を概括的に参照しつつ、例えば図１５を詳細に参照するに、ワイパドラッグ表面１８６はテクスチャ加工される。この段落の上述の記載は、本開示の例７３を特徴付けており、例７３は上記の例７２による記載も含む。
【０１８３】
ドラッグ表面１８６がテクスチャ加工されると、ドラッグ表面１８６は、セグメント１２０にテクスチャを付与するか、又はセグメント１２０を研磨し、その表面積を、そこに接して堆積される連続可撓性ライン１０６の後続層の接着をより良好にするために増大させる。
【０１８４】
図１を概括的に参照しつつ、例えば図１５を詳細に参照するに、ワイパドラッグ表面１８６は、連続可撓性ライン１０６のセグメント１２０が供給ガイド１１２から出た後に、連続可撓性ライン１０６のセグメント１２０に既定の断面形状を付与するよう形作られる。この段落の上述の記載は、本開示の例７４を特徴付けており、例７４は上記の例７２又は例７３のいずれか１つによる記載も含む。
【０１８５】
上述のように、一部の応用では、連続可撓性ライン１０６が供給ガイド１１２によって堆積されていくにつれて、それに既定の断面形状を付与することが望ましいかもしれない。
【０１８６】
図１を概括的に参照しつつ、例えば図１４、図２３、及び図２５を詳細に参照するに、圧縮機１３８は、連続可撓性ライン１０６のセグメント１２０の区域１８０に向けて付勢される。この段落の上述の記載は、本開示の例７５を特徴付けており、例７５は上記の例６８から例７４のいずれか１つによる記載も含む。
【０１８７】
圧縮機１３８は、区域１８０に向けて付勢されることによって、区域１８０に対して所望の圧縮力を付与する。
【０１８８】
圧縮機１３８は、例えば、ばね１８１又は他の付勢部材によって、区域１８０に向けて付勢されうる。
【０１８９】
図１を概括的に参照しつつ、例えば図１４、図２３、及び図２５を詳細に参照するに、圧縮機１３８は、供給ガイド１１２に対して回転可能である。この段落の上述の記載は、本開示の例７６を特徴付けており、例７６は上記の例６８から例７５のいずれか１つによる記載も含む。
【０１９０】
圧縮機１３８は、供給ガイド１１２に対して回転可能であることによって、供給ガイド１１２が表面１１４に対して、及び／又はその逆に、動く（方向を変えることも含む）につれて、セグメント１２０の区域１８０に対して圧縮機１３８の圧縮力を付与するよう、選択的に配置されうる。
【０１９１】
図１４は、供給ガイド１１２に対して自由に回転する圧縮ローラ１８２を、概略的に示している。図２３及び図２５は、本書に記載されているように、枢動アームアクチュエータ１８８によって選択的かつ能動的に回転する、圧縮ローラ１８２を示している。
【０１９２】
図１を概括的に参照しつつ、例えば図１４、図２３、及び図２５を詳細に参照するに、圧縮機１３８は、供給ガイド１１２が表面１１４に対して動く時に、供給ガイド１１２を追跡するよう構成される。この段落の上述の記載は、本開示の例７７を特徴付けており、例７７は上記の例６８から例７６のいずれか１つによる記載も含む。
【０１９３】
圧縮機１３８は、供給ガイド１１２を追跡することによって、区域１８０が供給ガイド１１２から出た直後にセグメント１２０の区域１８０に対して圧縮機１３８の圧縮力を付与するよう、選択的に配置される。
【０１９４】
図１６を参照するに、圧縮機１３８は、供給ガイド１１２に連結されたスカート部１９０を備える。スカート部１９０は、連続可撓性ライン１０６のセグメント１２０が供給ガイド１１２から出た後に、連続可撓性ライン１０６のセグメント１２０の少なくとも区域１８０に接して引きずられるよう配置されている、スカートドラッグ表面１９２を備える。この段落の上述の記載は、本開示の例７８を特徴付けており、例７８は上記の例６８による記載も含む。
【０１９５】
スカート部１９０は、供給ガイド１１２から、出口部２０６の周囲を取り巻くように延びる。そのため、表面１１４に対する供給ガイド１１２の移動、及び／又はその逆の移動の方向にかかわらず、スカート部１９０は、連続可撓性ライン１０６が堆積されていくにつれて、そのセグメント１２０の区域１８０を圧縮するよう配置される。
【０１９６】
図１を概括的に参照しつつ、例えば図２３及び図２５を詳細に参照するに、システム１００は更に、供給アセンブリ２６６に作動的に連結され、かつ、連続可撓性ライン１０６のセグメント１２０が供給ガイド１１２から出た後に、連続可撓性ライン１０６のセグメント１２０の少なくとも区域１８０に圧縮力を付与するよう構成された、圧縮機１３８を備える。システム１００は更に、供給ガイド１１２が表面１１４に対して動くにつれて枢動アーム１５２が供給ガイド１１２を追跡するように、供給アセンブリ２６６に相関して連結された、枢動アーム１５２を備える。圧縮機１３８は、枢動アーム１５２に連結される。この段落の上述の記載は、本開示の例７９を特徴付けており、例７９は上記の例１による記載も含む。
【０１９７】
枢動アーム１５２は、供給ガイド１１２に対する圧縮機１３８の選択的な枢動を提供する。そのため、圧縮機１３８は、供給ガイド１１２が表面１１４に対して、及び／又はその逆に、動く（方向を変えることも含む）につれて、セグメント１２０の区域１８０に対して圧縮機１３８の圧縮力を付与するよう、選択的に配置されうる。
【０１９８】
図１を概括的に参照しつつ、例えば図２３及び図２５を詳細に参照するに、システム１００は更に、枢動アーム１５２に作動的に連結され、かつ、供給ガイド１１２が表面１１４に対して動くにつれて、供給ガイド１１２に対する枢動アーム１５２の回転位置を能動的に制御するよう構成された、枢動アームアクチュエータ１８８を備える。この段落の上述の記載は、本開示の例８０を特徴付けており、例８０は上記の例７９による記載も含む。
【０１９９】
枢動アームアクチュエータ１８８は、供給ガイド１１２に対する枢動アーム１５２の、ひいては圧縮機１３８の、選択的な枢動を提供する。そのため、圧縮機１３８は、供給ガイド１１２が表面１１４に対して、及び／又はその逆に、動く（方向を変えることも含む）につれて、セグメント１２０の区域１８０に対して圧縮機１３８の圧縮力を付与するよう、選択的に配置されうる。
【０２００】
図１を概括的に参照しつつ、例えば図２３及び図２５を詳細に参照するに、枢動アームアクチュエータ１８８は、枢動アーム１５２の回転位置を、表面１１４に対する供給ガイド１１２の移動に能動的に連携させるよう構成される。この段落の上述の記載は、本開示の例８１を特徴付けており、例８１は上記の例８０による記載も含む。
【０２０１】
そのため、圧縮機１３８は、供給ガイド１１２が表面１１４に対して、及び／又はその逆に、動く（方向を変えることも含む）につれて、セグメント１２０の区域１８０に対して圧縮機１３８の圧縮力を付与するよう、選択的かつ能動的に配置されうる。
【０２０２】
図１を概括的に参照しつつ、例えば図２３を詳細に参照するに、システム１００は更に、供給アセンブリ１１２に作動的に連結され、かつ、連続可撓性ライン１０６のセグメント１２０が供給ガイド１１２から出た後に、連続可撓性ライン１０６のセグメント１２０の少なくとも区域１９４を研磨するよう構成された、粗面機１４４を備える。この段落の上述の記載は、本開示の例８２を特徴付けており、例８２は上記の例１から例４２のいずれか１つによる記載も含む。
【０２０３】
粗面機１４４は、区域１９４を研磨し、その表面積を、そこに接して堆積される後続層の接着をより良好にするために増大させる。
【０２０４】
図１を参照するに、粗面機１４４は、連続可撓性ライン１０６のセグメント１２０が供給ガイド１１２から出た後に、連続可撓性ライン１０６のセグメント１２０の少なくとも区域１９４を回転式に研磨するよう構成されている、粗面化ローラ１９６を備える。この段落の上述の記載は、本開示の例８３を特徴付けており、例８３は上記の例８２による記載も含む。
【０２０５】
粗面化ローラ１９６は、粗面機１４４の代替例と比較すると、セグメント１２０の研磨中に、セグメント１２０に沿ったフォトポリマ樹脂構成要素１１０の軸方向移動を減少させうる。
【０２０６】
図１を概括的に参照するに、粗面化ローラ１９６は、連続可撓性ライン１０６のセグメント１２０が供給ガイド１１２から出た後に、連続可撓性ライン１０６のセグメント１２０に既定の断面形状を付与するよう形作られた、粗面化ローラ表面１９８を備える。この段落の上述の記載は、本開示の例８４を特徴付けており、例８４は上記の例８３による記載も含む。
【０２０７】
一部の応用では、連続可撓性ライン１０６が供給ガイド１１２によって堆積されていくにつれて、それに既定の断面形状を付与することが望ましいかもしれない。
【０２０８】
図２３を参照するに、粗面機１４４は、連続可撓性ライン１０６のセグメント１２０が供給ガイド１１２から出た後に、連続可撓性ライン１０６のセグメント１２０の少なくとも区域１９４を線形運動によって研磨するよう構成されている、粗面化ドラッグ表面２００を備える。この段落の上述の記載は、本開示の例８５を特徴付けており、例８５は上記の例８２による記載も含む。
【０２０９】
粗面化ドラッグ表面２００は、粗面機１４４の代替例と比較すると、セグメント１２０の研磨中に、セグメント１２０に沿ったフォトポリマ樹脂構成要素１１０の軸方向移動を増大させうる。
【０２１０】
図１を概括的に参照しつつ、例えば図２３を詳細に参照するに、粗面機１４４は、連続可撓性ライン１０６のセグメント１２０が供給ガイド１１２から出た後に、連続可撓性ライン１０６のセグメント１２０の区域１９４に向けて付勢される。この段落の上述の記載は、本開示の例８６を特徴付けており、例８６は上記の例８２から例８５のいずれか１つによる記載も含む。
【０２１１】
粗面機１４４は、区域１９４に向けて付勢されることによって、区域１９４に対して所望の研磨力を付与する。
【０２１２】
図１を概括的に参照しつつ、例えば図２３を詳細に参照するに、粗面機１４４は、供給アセンブリ２６６に対して回転可能である。この段落の上述の記載は、本開示の例８７を特徴付けており、例８７は上記の例８２から例８６のいずれか１つによる記載も含む。
【０２１３】
粗面機１４４は、供給ガイド１１２に対して回転可能であることによって、供給ガイド１１２が表面１１４に対して、及び／又はその逆に、動く（方向を変えることも含む）につれて、区域１９４を研磨するよう、選択的に配置されうる。
【０２１４】
図１を概括的に参照しつつ、例えば図２３を詳細に参照するに、粗面機１４４は、供給ガイド１１２が表面１１４に対して動く時に、供給ガイド１１２を追跡するよう構成される。この段落の上述の記載は、本開示の例８８を特徴付けており、例８８は上記の例８２から例８７のいずれか１つによる記載も含む。
【０２１５】
粗面機１４４は、供給ガイド１１２を追跡することによって、セグメント１２０が供給ガイド１１２から出た直後に区域１９４を研磨するよう、選択的に配置される。
【０２１６】
図１を概括的に参照しつつ、例えば図２３を詳細に参照するに、システム１００は更に、供給ガイド１１２が表面１１４に対して動くにつれて枢動アーム１５２が供給ガイド１１２を追跡するように構成された、枢動アーム１５２を備える。粗面機１４４は、枢動アーム１５２に連結される。この段落の上述の記載は、本開示の例８９を特徴付けており、例８９は上記の例８２から例８８のいずれか１つによる記載も含む。
【０２１７】
枢動アーム１５２は、供給ガイド１１２に対する粗面機１４４の選択的な枢動を提供する。そのため、粗面機１４４は、供給ガイド１１２が表面１１４に対して、及び／又はその逆に、動く（方向を変えることも含む）につれて、区域１９４を研磨するよう、選択的に配置されうる。
【０２１８】
図１を概括的に参照しつつ、例えば図２３を詳細に参照するに、システム１００は更に、枢動アーム１５２に作動的に連結され、かつ、供給ガイド１１２が表面１１４に対して動くにつれて、供給ガイド１１２に対する枢動アーム１５２の回転位置を能動的に制御するよう構成された、枢動アームアクチュエータ１８８を備える。この段落の上述の記載は、本開示の例９０を特徴付けており、例９０は上記の例８９による記載も含む。
【０２１９】
枢動アームアクチュエータ１８８は、供給ガイド１１２に対する枢動アーム１５２の、ひいては粗面機１４４の、選択的な枢動を提供する。そのため、粗面機１４４は、供給ガイド１１２が表面１１４に対して、及び／又はその逆に、動く（方向を変えることも含む）につれて、区域１９４を研磨するよう、選択的に配置されうる。
【０２２０】
図１を概括的に参照しつつ、例えば図２３を詳細に参照するに、枢動アームアクチュエータ１８８は、枢動アーム１５２の回転位置を、表面１１４に対する供給ガイド１１２の移動に能動的に連携させるよう構成される。この段落の上述の記載は、本開示の例９１を特徴付けており、例９１は上記の例９０による記載も含む。
【０２２１】
そのため、粗面機１４４は、供給ガイド１１２が表面１１４に対して、及び／又はその逆に、動く（方向を変えることも含む）につれて、区域１９４を研磨するよう、選択的かつ能動的に配置されうる。
【０２２２】
図１を概括的に参照しつつ、例えば図２３を詳細に参照するに、システム１００は更に、圧縮機１３８を備える。粗面機１４４は、圧縮機１３８による少なくとも区域１９４の圧縮に続き、連続可撓性ライン１０６のセグメント１２０の少なくとも区域１９４を研磨するよう配置される。この段落の上述の記載は、本開示の例９２を特徴付けており、例９２は上記の例８２から例９１のいずれか１つによる記載も含む。
【０２２３】
例９２によるシステムは、圧縮機１３８と粗面機１４４の両方を含む。圧縮機１３８による圧縮に続き区域１９４を研磨するよう配置された、粗面機１４４を有することによって、区域１９４の研磨は、区域１９４の後続の圧縮により妨害されることも、鈍化することもなくなる。そのため、区域１９４の研磨は、表面積を、そこに接して堆積される後続層の接着をより良好にするために増大させる。
【０２２４】
図１を概括的に参照しつつ、例えば図２３を詳細に参照するに、システム１００は更に、粗面機１４４で連続可撓性ライン１０６のセグメント１２０の少なくとも区域１９４を研磨することから生じるデブリを収集するよう構成された、デブリ吸入部２０２を備える。この段落の上述の記載は、本開示の例９３を特徴付けており、例９３は上記の例８２から例８８のいずれか１つによる記載も含む。
【０２２５】
粗面機１４４による区域１９４の研磨から生じるデブリをデブリ吸入部２０２によって収集することで、フォトポリマ樹脂構成要素１１０の望ましくない遊離粒子であって、連続可撓性ライン１０６の堆積される隣接層の間に入り込む遊離粒子が回避される。遊離粒子は、回避されなければ、複合部品１０２の望ましくない性質をもたらしうる。
【０２２６】
図１を参照するに、システム１００は更に、デブリ吸入部２０２に選択的に連通するように連結された真空源２０３を備える。この段落の上述の記載は、本開示の例９４を特徴付けており、例９４は上記の例９３による記載も含む。
【０２２７】
真空源２０２は、デブリ吸入部２０２を通じて、隣接する区域１９４から空気及びデブリを吸引する。
【０２２８】
図１を概括的に参照しつつ、例えば図２３を詳細に参照するに、システム１００は更に、供給ガイド１１２が表面１１４に対して動くにつれて枢動アーム１５２が供給ガイド１１２を追跡するように、供給ガイド１１２に相関して連結された、枢動アーム１５２を備える。デブリ吸入部２０２は、枢動アーム１５２に作動的に連結される。この段落の上述の記載は、本開示の例９５を特徴付けており、例９５は上記の例９３又は例９４のいずれか１つによる記載も含む。
【０２２９】
デブリ吸入部２０２は、枢動アーム１５２に連結されることによって、供給ガイド１１２が表面１１４に対して、及び／又はその逆に、動くにつれて、隣接する区域１９４から直接デブリを収集するよう、選択的に配置される。
【０２３０】
図１を概括的に参照しつつ、例えば図２３を詳細に参照するに、システム１００は更に、枢動アーム１５２に作動的に連結され、かつ、供給ガイド１１２が表面１１４に対して動くにつれて、供給ガイド１１２に対する枢動アーム１５２の回転位置を能動的に制御するよう構成された、枢動アームアクチュエータ１８８を備える。この段落の上述の記載は、本開示の例９６を特徴付けており、例９６は上記の例９５による記載も含む。
【０２３１】
枢動アームアクチュエータ１８８は、供給ガイド１１２に対する枢動アーム１５２の回転位置を能動的に制御することによって、供給ガイド１１２が表面１１４に対して、及び／又はその逆に、動くにつれて、デブリ吸入部２０２が区域１９４の直近でデブリを収集するよう選択的に配置されるように、デブリ吸入部２０２が供給ガイド１１２を追跡することを、確実にする。
【０２３２】
図１を概括的に参照しつつ、例えば図２３を詳細に参照するに、枢動アームアクチュエータ１８８は、枢動アーム１５２の回転位置を、表面１１４に対する供給ガイド１１２の移動に能動的に連携させるよう構成される。この段落の上述の記載は、本開示の例９７を特徴付けており、例９７は上記の例９６による記載も含む。
【０２３３】
枢動アームアクチュエータ１８８は、供給ガイド１１２に対して枢動アーム１５２の回転位置を能動的に連携させることによって、供給ガイド１１２が表面１１４に対して、及び／又はその逆に、動くにつれて、デブリ吸入部２０２が区域１９４の直近でデブリを収集するよう選択的に配置されるように、デブリ吸入部２０２が供給ガイド１１２を追跡することを、確実にする。
【０２３４】
図１を概括的に参照しつつ、例えば図２３を詳細に参照するに、システム１００は更に、加圧ガスを用いて、粗面機１４４による連続可撓性ライン１０６のセグメント１２０の粗面化から生じるデブリを消散させるよう構成された、加圧ガス放出部２０４を備える。この段落の上述の記載は、本開示の例９８を特徴付けており、例９８は上記の例８２から例８８のいずれか１つによる記載も含む。
【０２３５】
粗面機１４４による区域１９４の研磨から生じるデブリを加圧ガス放出部２０４によって消散させることで、フォトポリマ樹脂構成要素１１０の望ましくない遊離粒子であって、連続可撓性ライン１０６の堆積される隣接層の間に入り込む遊離粒子が回避される。遊離粒子は、回避されなければ、複合部品１０２の望ましくない性質をもたらしうる。
【０２３６】
図１を参照するに、システム１００は更に、加圧ガス放出部２０４に選択的に連通するよう連結された加圧ガス源２０５を備える。この段落の上述の記載は、本開示の例９９を特徴付けており、例９９は上記の例９８による記載も含む。
【０２３７】
加圧ガス源２０５は、加圧ガス放出部２０４を介して区域１９４に供給される加圧ガスの供給源を提供する。
【０２３８】
図１を概括的に参照しつつ、例えば図２３を詳細に参照するに、システム１００は更に、供給ガイド１１２が表面１１４に対して動くにつれて枢動アーム１５２が供給ガイド１１２を追跡するように構成された、枢動アーム１５２を備える。加圧ガス放出部２０４は、枢動アーム１５２に作動的に連結される。この段落の上述の記載は、本開示の例１００を特徴付けており、例１００は上記の例９８又は例９９のいずれか１つによる記載も含む。
【０２３９】
加圧ガス放出部２０４は、枢動アーム１５２に連結されることによって、供給ガイド１１２が表面１１４に対して、及び／又はその逆に、動くにつれて、隣接する区域１９４から直接デブリを収集するよう、選択的に配置される。
【０２４０】
図１を概括的に参照しつつ、例えば図２３を詳細に参照するに、システム１００は更に、枢動アーム１５２に作動的に連結され、かつ、供給ガイド１１２が表面１１４に対して動くにつれて、供給ガイド１１２に対する枢動アーム１５２の回転位置を能動的に制御するよう構成された、枢動アームアクチュエータ１８８を備える。この段落の上述の記載は、本開示の例１０１を特徴付けており、例１０１は上記の例１００による記載も含む。
【０２４１】
枢動アームアクチュエータ１８８は、供給ガイド１１２に対する枢動アーム１５２の回転位置を能動的に制御することによって、供給ガイド１１２が表面１１４に対して、及び／又はその逆に、動くにつれて、加圧ガス放出部２０４が区域１９４の直近でデブリを消散させるよう選択的に配置されるように、加圧ガス放出部２０４が供給ガイド１１２を追跡することを、確実にする。
【０２４２】
図１を概括的に参照しつつ、例えば図２３を詳細に参照するに、枢動アームアクチュエータ１８８は、枢動アーム１５２の回転位置を、表面１１４に対する供給ガイド１１２の移動に能動的に連携させるよう構成される。この段落の上述の記載は、本開示の例１０２を特徴付けており、例１０２は上記の例１０１による記載も含む。
【０２４３】
枢動アームアクチュエータ１８８は、供給ガイド１１２に対して枢動アーム１５２の回転位置を能動的に連携させることによって、供給ガイド１１２が表面１１４に対して、及び／又はその逆に、動くにつれて、加圧ガス放出部２０４が区域１９４の直近でデブリを消散させるよう選択的に配置されるように、加圧ガス放出部２０４が供給ガイド１１２を追跡することを、確実にする。
【０２４４】
図１を概括的に参照しつつ、例えば図１７から図２０、図２３、図３２、及び図３３を詳細に参照するに、供給ガイド１１２は、ガイドライン通路１５４であって、それを通って連続可撓性ライン１０６がプリントパス１２２に供給されるガイドライン通路１５４を備える。ライン通路１５４はガイド出口部２０６を備える。システム１００は更に、ガイド出口部２０６の近くで連続可撓性ライン１０６を選択的に切断するよう構成された、カッター２０８を備える。この段落の上述の記載は、本開示の例１０３を特徴付けており、例１０３は上記の例１から例１０２のいずれか１つによる記載も含む。
【０２４５】
カッター２０８を含むことで、供給ガイド１１２による、連続可撓性ライン１０６の供給の選択的な停止及び開始が可能になる。出口部２０６の近くで連続可撓性ライン１０６を切断するよう構成されたカッター２０８を有することによって、連続可撓性ライン１０６は、硬化エネルギー１１８によって少なくとも部分的に硬化される以前に、連続可撓性ライン１０６が連続可撓性ライン１０６の事前に堆積された層にまだ接触していないうちに、オプションではその層に接して圧縮されないうちに、切断されうる。換言すると、カッター２０８による、連続可撓性ライン１０６の外周全体へのアクセスが可能になる。
【０２４６】
図１を概括的に参照しつつ、例えば図１７から図１９、図２３、図３２、及び図３３を詳細に参照するに、カッター２０８は、供給ガイド１１２に対して移動可能な、少なくとも１つの刃２１０を備える。この段落の上述の記載は、本開示の例１０４を特徴付けており、例１０４は上記の例１０３による記載も含む。
【０２４７】
図１を概括的に参照しつつ、例えば図１５を詳細に参照するに、カッター２０８はアイリス絞り２１２である。この段落の上述の記載は、本開示の例１０５を特徴付けており、例１０５は上記の例１０３又は例１０４のいずれか１つによる記載も含む。
【０２４８】
アイリス絞り２１２は、連続可撓性ライン１０６の複数の側からの、連続可撓性ラインの切断を可能にする。そのため、連続可撓性ライン１０６の断面形状は、カッター２０８による変形が、カッター２０８の他の例によって生じうる変形よりも少なくなりうる。
【０２４９】
図１を概括的に参照しつつ、例えば図１９を詳細に参照するに、カッター２０８は供給ガイド１１２の中に配置される。この段落の上述の記載は、本開示の例１０６を特徴付けており、例１０６は上記の例１０３から例１０５のいずれか１つによる記載も含む。
【０２５０】
カッター２０８を供給ガイド１１２の中に配置することで、表面１１４に対する供給ガイドの移動、及び／又はその逆の移動をカッター２０８が妨げないような、システム１００の小型のアセンブリが提供される。
【０２５１】
図１を概括的に参照しつつ、例えば図２０を詳細に参照するに、カッター２０８は切断レーザ２１３を備える。この段落の上述の記載は、本開示の例１０７を特徴付けており、例１０７は上記の例１０３による記載も含む。
【０２５２】
連続可撓性ライン１０６を切断するために切断レーザ２１３を使用することで、複合部品１０２の製造中の、所望の場所における連続可撓性ライン１０６の正確な切断が容易になる。
【０２５３】
図１を概括的に参照しつつ、例えば図２０を詳細に参照するに、カッター２０８は更に、出口部２０６の近くで連続可撓性ライン１０６を選択的に切断するために切断レーザ２１３を方向付けるよう構成された、少なくとも１つの検流式鏡位置決めシステム２１４を備える。この段落の上述の記載は、本開示の例１０８を特徴付けており、例１０８は上記の例１０７による記載も含む。
【０２５４】
換言すると、一又は複数の検流式鏡位置決めシステム２１４は、連続可撓性ライン１０６が供給ガイド１１２から出るにつれて、切断レーザ２１３を連続可撓性ライン１０６に能動的に方向付けうる。
【０２５５】
図１を概括的に参照しつつ、例えば図２２を詳細に参照するに、システム１００は更に、供給ガイド１１２又は表面１１４の少なくとも一方に作動的に連結され、かつ、供給ガイド１１２又は表面１１４の少なくとも一方を、他方に対して作動的かつ選択的に動かすよう構成された、駆動アセンブリ２１６を備える。この段落の上述の記載は、本開示の例１０９を特徴付けており、例１０９は上記の例１から例１０８のいずれか１つによる記載も含む。
【０２５６】
駆動アセンブリ２１６は、供給ガイド１１２を介して連続可撓性ライン１０６が堆積されるにつれて、連続可撓性ライン１０６から複合部品１０２が製造されるように、供給ガイド１１２と表面１１４との相対移動を容易にする。
【０２５７】
図１を概括的に参照しつつ、例えば図２２を詳細に参照するに、駆動アセンブリ２１６は、Ｘ軸駆動体２１７、Ｙ軸駆動体２１９、及びＺ軸駆動体２１５を備え、それらのうちの少なくとも１つは、供給アセンブリ２６６又は表面１１４の少なくとも一方に作動的に連結される。この段落の上述の記載は、本開示の例１１０を特徴付けており、例１１０は上記の例１０９による記載も含む。
【０２５８】
例１１０によるシステムは、供給ガイド１１２と表面１１４との三次元相対移動を提供する。
【０２５９】
図１を参照するに、駆動アセンブリ２１６は、ロボット式アーム２１８を備える。この段落の上述の記載は、本開示の例１１１を特徴付けており、例１１１は上記の例１０９又は例１１０のいずれか１つによる記載も含む。
【０２６０】
供給ガイド１１２を表面１１４に対して、及び／又はその逆に、作動的かつ選択的に動かすためにロボット式アーム２１８を使用することで、複数の自由度、及び複雑な三次元複合部品１０２の製造が可能になる。
【０２６１】
図１を概括的に参照しつつ、例えば図２０を詳細に参照するに、駆動アセンブリ２１６は、供給ガイド１１２又は表面１１４の少なくとも一方を他方に対して、三次元において直交するように、作動的かつ選択的に動かすよう構成される。この段落の上述の記載は、本開示の例１１２を特徴付けており、例１１２は上記の例１０９から例１１１のいずれか１つによる記載も含む。
【０２６２】
例１１２によるシステムは、三次元で複合部品１０２を製造しうる。
【０２６３】
図１を概括的に参照しつつ、例えば図２２を詳細に参照するに、駆動アセンブリ２１６は、供給ガイド１１２又は表面１１４の少なくとも一方を他方に対して、少なくとも３自由度を伴って三次元において、作動的かつ選択的に動かすよう構成される。この段落の上述の記載は、本開示の例１１３を特徴付けており、例１１３は上記の例１０９から例１１１のいずれか１つによる記載も含む。
【０２６４】
例１１３によるシステムは、複雑な三次元複合部品１０２を製造しうる。
【０２６５】
図１を概括的に参照しつつ、例えば図２０を詳細に参照するに、駆動アセンブリ２１６は、供給ガイド１１２又は表面１１４の少なくとも一方を他方に対して、少なくとも６自由度を伴って三次元において、作動的かつ選択的に動かすよう構成される。この段落の上述の記載は、本開示の例１１４を特徴付けており、例１１４は上記の例１０９から例１１１のいずれか１つによる記載も含む。
【０２６６】
例１１４によるシステムは、複雑な三次元複合部品１０２を製造しうる。
【０２６７】
図１を参照するに、駆動アセンブリ２１６は、供給ガイド１１２又は表面１１４の少なくとも一方を他方に対して、少なくとも９自由度を伴って三次元において、作動的かつ選択的に動かすよう構成される。この段落の上述の記載は、本開示の例１１５を特徴付けており、例１１５は上記の例１０９から例１１１のいずれか１つによる記載も含む。
【０２６８】
例１１５によるシステムは、複雑な三次元複合部品１０２を製造しうる。
【０２６９】
図１を参照するに、駆動アセンブリ２１６は、供給ガイド１１２又は表面１１４の少なくとも一方を他方に対して、少なくとも１２自由度を伴って三次元において、作動的かつ選択的に動かすよう構成される。この段落の上述の記載は、本開示の例１１６を特徴付けており、例１１６は上記の例１０９から例１１１のいずれか１つによる記載も含む。
【０２７０】
例１１６によるシステムは、複雑な三次元複合部品１０２を製造しうる。
【０２７１】
図１を参照するに、システム１００は更に、セグメント１２０が供給ガイド１１２から出た後に連続可撓性ライン１０６のセグメント１２０にシールドガス２２１を供給することによって、連続可撓性ライン１０６のセグメント１２０を少なくとも部分的に酸化から保護するよう構成された、シールドガス放出部２２０を備える。この段落の上述の記載は、本開示の例１１７を特徴付けており、例１１７は上記の例１から例１１６のいずれか１つによる記載も含む。
【０２７２】
シールドガス放出部２２０を含むこと、及び、そこからセグメント１２０にシールドガス２２１を供給することで、連続可撓性ライン１０６の、供給源１１６によって少なくとも部分的に硬化される以前の、及び／又は、硬化されている時の、酸化が制限される。
【０２７３】
図１を参照するに、システム１００は更に、シールドガス放出部２２０に選択的に連通するように連結されたシールドガス源２２２を備える。この段落の上述の記載は、本開示の例１１８を特徴付けており、例１１８は上記の例１１７による記載も含む。
【０２７４】
シールドガス源２２２は、シールドガス放出部２２０を介してセグメント１２０に供給されるシールドガス２２１の供給源を提供する。
【０２７５】
図１を参照するに、システム１００は更に、セグメント１２０が供給ガイド１１２から出た後に連続可撓性ライン１０６のセグメント１２０にシールドガス２２１を供給することによって、連続可撓性ライン１０６のセグメント１２０を少なくとも部分的に酸化から保護するよう構成された、シールドガス放出部２２０を備える。システム１００は更に、供給ガイド１１２が表面１１４に対して動くにつれて枢動アーム１５２が供給ガイド１１２を追跡するように、供給ガイド１１２に相関して連結された、枢動アーム１５２を備える。シールドガス放出部２２０は、枢動アーム１５２に作動的に連結される。この段落の上述の記載は、本開示の例１１９を特徴付けており、例１１９は上記の例１による記載も含む。
【０２７６】
シールドガス放出部２２０は、枢動アーム１５２に連結されることによって、供給ガイド１１２が表面１１４に対して、及び／又はその逆に、動くにつれて、シールドガス２２１をセグメント１２０に供給するよう、選択的に配置される。
【０２７７】
図１を参照するに、システム１００は更に、枢動アーム１５２に作動的に連結され、かつ、供給ガイド１１２が表面１１４に対して動くにつれて、供給ガイド１１２に対する枢動アーム１５２の回転位置を能動的に制御するよう構成された、枢動アームアクチュエータ１８８を備える。この段落の上述の記載は、本開示の例１２０を特徴付けており、例１２０は上記の例１１９による記載も含む。
【０２７８】
枢動アームアクチュエータ１８８は、供給ガイド１１２に対する枢動アーム１５２の回転位置を能動的に制御することによって、供給ガイド１１２が表面１１４に対して、及び／又はその逆に、動くにつれて、シールドガス放出部２２０がセグメント１２０にシールドガス２２１を供給するよう選択的に配置されるように、シールドガス放出部２２０が供給ガイド１１２を追跡することを、確実にする。
【０２７９】
図１を参照するに、枢動アームアクチュエータ１８８は、枢動アーム１５２の回転位置を、表面１１４に対する供給ガイド１１２の移動に能動的に連携させるよう構成される。この段落の上述の記載は、本開示の例１２１を特徴付けており、例１２１は上記の例１２０による記載も含む。
【０２８０】
枢動アームアクチュエータ１８８は、供給ガイド１１２に対して枢動アーム１５２の回転位置を能動的に連携させることによって、供給ガイド１１２が表面１１４に対して、及び／又はその逆に、動くにつれて、シールドガス放出部２２０がセグメント１２０にシールドガス２２１を供給するよう選択的に配置されるように、シールドガス放出部２２０が供給ガイド１１２を追跡することを、確実にする。
【０２８１】
図１を参照するに、システム１００は更に、連続可撓性ライン１０６のセグメント１２０が供給ガイド１１２から出た後に連続可撓性ライン１０６のセグメント１２０における不具合を検出するよう構成された、不具合検出器２２４を備える。この段落の上述の記載は、本開示の例１２２を特徴付けており、例１２２は上記の例１から例１２１のいずれか１つによる記載も含む。
【０２８２】
セグメント１２０における不具合を検出することで、複合部品１０２の完成以前に、不具合を有する複合部品１０２を選択的に廃棄することが可能になる。そのため、材料の無駄が少なくなりうる。更に、検出されなければ様々な種類の不具合検出器による視認から隠されることになる不具合が、連続可撓性ライン１０６の後続層が不具合を視認から見えにくくするか、又は隠す以前に、不具合検出器２２４によって検出されうる。
【０２８３】
図１を参照するに、不具合検出器２２４は光学検出器２２６を含む。この段落の上述の記載は、本開示の例１２３を特徴付けており、例１２３は上記の例１２２による記載も含む。
【０２８４】
光学検出器２２６は、連続可撓性ライン１０６のセグメント１２０における不具合の検出によく適合しうる。
【０２８５】
図１を参照するに、不具合検出器２２４はカメラ２２８を備える。この段落の上述の記載は、本開示の例１２４を特徴付けており、例１２４は上記の例１２２による記載も含む。
【０２８６】
カメラ２２８は、連続可撓性ライン１０６のセグメント１２０における不具合の検出によく適合しうる。
【０２８７】
図１を参照するに、システム１００は更に、コントローラ２３０と、連続可撓性ライン１０６の発給源１２６、枢動アームアクチュエータ１８８、圧縮機１３８、粗面機１４４、デブリ吸入部２０２、デブリ吸入部２０２に選択的に連通するように連結された真空源２０３、加圧ガス放出部２０４、加圧ガス放出部２０４に選択的に連通するように結合された加圧ガス源２０５、カッター２０８、駆動アセンブリ２１６、シールドガス放出部２２０、シールドガス放出部２２０に選択的に連通するように連結されたシールドガス源２２２、不具合検出器２２４、樹脂計測システム２５６、少なくとも１つのセンサ２５４、及びポンプ２６４、のうちの一又は複数とを備える。コントローラ２３０は、供給ガイド１１２、送り機構１０４、硬化エネルギー１１８の供給源１１６、連続可撓性ライン１０６の発給源１２６、枢動アームアクチュエータ１８８、圧縮機１３８、粗面機１４４、真空源２０３、加圧ガス源２０５、カッター２０８、駆動アセンブリ２１６、シールドガス源２２２、不具合検出器２２４、樹脂計測システム２５６、少なくとも１つのセンサ２５４、及びポンプ、のうちの一又は複数を選択的に作動させるようプログラムされる。この段落の上述の記載は、本開示の例１２５を特徴付けており、例１２５は上記の例１による記載も含む。
【０２８８】
コントローラ２３０は、システム１００の様々な構成要素部分の作動を制御する。例えば、供給ガイド１１２及び／又は表面１１４の互いに対する正確な移動が、所望の三次元複合部品１０２を製造するために制御されうる。圧縮機１３８による圧縮力を正確に供給すること、硬化エネルギー１１８を正確に供給すること、粗面機１４４によって連続可撓性ライン１０６を正確に研磨することなどのために、枢動アームアクチュエータ１８８による枢動アーム１５２の正確な枢動が制御されうる。加えて、様々な構成要素部分の作動は、複合部品１０２の所望の性質及び構成をもたらすために、複合部品１０２の製造において、コントローラ２３０によって選択的に開始され、停止されうる。
【０２８９】
図１では、コントローラ２３０とシステム１００の様々な構成要素部分との間の通信が、稲妻のマークによって概略的に表されている。かかる通信は、事実上、有線及び／又は無線でありうる。
【０２９０】
コントローラ２３０は、システム１００の少なくとも一部分の作動を自動的に制御するよう、適合し、構成され、設計され、構築され、かつ／又はプログラムされうる、任意の好適な構造を含みうる。例示的で非限定的な例としては、コントローラ２３０は、電子コントローラ、専用コントローラ、特定用途コントローラ、パソコン、ディスプレイデバイス、論理デバイス、及び／又はメモリデバイスを含んでよく、かつ／又はそれらでありうる。加えて、コントローラ２３０は、システム１００の作動を自動的に制御するために、一又は複数のアルゴリズムを実行するようプログラムされうる。これは、コントローラ２３０に基づきうる、かつ／又は、コントローラ２３０に、本書で開示されている方法３００及び方法４００を実行するようシステム１００に命令させうる、アルゴリズムを含みうる。
【０２９１】
図１を概括的に参照しつつ、例えば図２２を詳細に参照するに、システム１００は更にフレーム２３２を備える。フレーム２３２は、送り機構１０４及び表面１１４を支持する。この段落の上述の記載は、本開示の例１２６を特徴付けており、例１２６は上記の例１から例１２５のいずれか１つによる記載も含む。
【０２９２】
フレーム２３２は、送り機構１０４が供給ガイド１１２を表面１１４に対して、及び／又はその逆に、作動的かつ選択的に動かしうるように、送り機構１０４及び表面１１４を構造的に支持する。
【０２９３】
例えば図１から図１１、図１４、及び図２１から図３１を参照しつつ、図３４を詳細に参照するに、複合部品１０２を付加製造する方法３００が開示されている。方法３００は、（ブロック３０２）連続可撓性ライン１０６のセグメント１２０を、プリントパス１２２に沿って堆積させることを含む。連続可撓性ライン１０６は、非樹脂構成要素１０８を備え、硬化されていないフォトポリマ樹脂構成要素１１０を更に備える。方法３００は更に、（ブロック３０４）連続可撓性ライン１０６をプリントパス１２２に向けて進行させつつ、連続可撓性ライン１０６のセグメント１２０がプリントパス１２２に沿って堆積された後に、連続可撓性ライン１０６のセグメント１２０の少なくとも部分１２４を少なくとも部分的に硬化させるために、連続可撓性ライン１０６のセグメント１２０の少なくとも部分１２４に、既定の量又は能動的に決定される量の硬化エネルギー１１８を、制御された速度で供給することを含む。この段落の上述の記載は、本開示の例１２７を特徴付ける。
【０２９４】
従って方法３００は、初期には未硬化状態であるフォトポリマ樹脂構成要素１１０を含み、かつ、複合部品１０２が製造されている間に、すなわち原位置で、硬化エネルギー１１８によって少なくとも部分的に硬化される、少なくとも１つの複合材料から複合部品１０２を製造するために、実行されうる。既定の量又は能動的に決定される量の硬化エネルギー１１８を制御された速度で供給することの結果として、複合部品１０２の製造中のいかなる時点においても、セグメント１２０の部分１２４に関して、所望の硬化レベル又は硬化程度が達成されうる。例えば本書に記載されているように、いくつかの例では、複合部品１０２の製造において、１つの部分１２４を別の部分１２４よりも高次に、又は低次に硬化することが望ましいかもしれない。更に、方法３００は、例えば複合部品１０２の所望の性質を決定するために複合部品１０２全体を通じて所望の及び／又は既定の位置付けに配向される連続可撓性ライン１０６で、複合部品１０２を製造するために実行されうる。
【０２９５】
方法３００は、システム１００によって実行されうる。
【０２９６】
例えば図１から図４を参照しつつ、図３４を詳細に参照するに、方法３００は更に、（ブロック３０６）供給アセンブリ２６６を通して連続可撓性ライン１０６を押している間にフォトポリマ樹脂２５２を非樹脂構成要素１０８に付着させることを含む。フォトポリマ樹脂構成要素１１０は、非樹脂構成要素１０８に付着した少なくともいくらかのフォトポリマ樹脂２５２を含む。この段落の上述の記載は、本開示の例１２８を特徴付けており、例１２８は上記の例１２７による記載も含む。
【０２９７】
複合部品１０２の製造中にフォトポリマ樹脂２５２を非樹脂構成要素１０８に付着させることによって、複合部品１０２の製造中に連続可撓性ライン１０６が作り出される。そのため、種々の非樹脂構成要素１０８及び／又は種々のフォトポリマ樹脂２５２が、複合部品１０２の中の種々の場所に種々の特性を備えた所望の複合部品１０２をカスタマイズするか、若しくは作り出すために、方法３００の実行中に選択されうる。
【０２９８】
例えば図１から図４を参照しつつ、図３４を詳細に参照するに、（ブロック３０６）供給ガイド２６６を通して連続可撓性ライン１０６を押している間にフォトポリマ樹脂２５２を非樹脂構成要素１０８に付着させることは、（ブロック３０８）フォトポリマ樹脂２５２を供給アセンブリ２６６内へと注入することを含む。この段落の上述の記載は、本開示の例１２９を特徴付けており、例１２９は上記の例１２８による記載も含む。
【０２９９】
例えば樹脂槽に通して非樹脂構成要素１０８を引き出すことと対照的に、フォトポリマ樹脂２５２を供給アセンブリ２６６内に注入することで、フォトポリマ樹脂２５２の非樹脂構成要素１０８への付着の正確な制御が可能になる。
【０３００】
例えば図１から図４を参照しつつ、図３４を詳細に参照するに、（ブロック３０６）供給アセンブリ２６６を通して連続可撓性ライン１０６を押している間にフォトポリマ樹脂２５２を非樹脂構成要素１０８に付着させることは、（ブロック３１０）フォトポリマ樹脂２５２の流れを計測することを含む。この段落の上述の記載は、本開示の例１３０を特徴付けており、例１３０は上記の例１２８又は例１２９のいずれか１つによる記載も含む。
【０３０１】
フォトポリマ樹脂２５２の流れを計測することで、非樹脂構成要素１０８に付着するフォトポリマ樹脂２５２の体積の選択的な増加及び選択的な減少が可能になる。そのため、フォトポリマ樹脂２５２による非樹脂構成要素１０８の所望のレベルの飽和が実現されうる。
【０３０２】
例えば図１から図４を参照しつつ、図３４を詳細に参照するに、（ブロック３１０）フォトポリマ樹脂２５２の流れを計測することは、（ブロック３１２）供給アセンブリ２６６の中のフォトポリマ樹脂２５２の高さを検出することを含む。この段落の上述の記載は、本開示の例１３１を特徴付けており、例１３１は上記の例１３０による記載も含む。
【０３０３】
供給アセンブリ２６６の中のフォトポリマ樹脂２５２の高さを検出することで、フォトポリマ樹脂２５２の非樹脂構成要素１０８への流れを計測するための、データ入力が提供される。
【０３０４】
例えば図１から図４を参照しつつ、図３４を詳細に参照するに、（ブロック３１０）フォトポリマ樹脂２５２の流れを計測することは、（ブロック３１４）供給アセンブリ２６６の中のフォトポリマ樹脂２５２の高さに反応して、供給アセンブリ２６６へのフォトポリマ樹脂２５２の流れを選択的に減少させるか、又は選択的に増加させることを含む。この段落の上述の記載は、本開示の例１３２を特徴付けており、例１３２は上記の例１３１による記載も含む。
【０３０５】
フォトポリマ樹脂２５２の流れを選択的に減少させることで、供給アセンブリ２６６からオーバーフローするフォトポリマ樹脂２５２を回避することが可能になる。フォトポリマ樹脂２５２の流れを選択的に増加させることで、フォトポリマ樹脂２５２による、非樹脂構成要素１０８の望ましくないほどに低レベルの飽和を回避することが可能になる。
【０３０６】
例えば図１から図４を参照しつつ、図３５を詳細に参照するに、（ブロック３１０）フォトポリマ樹脂２５２の流れを計測することは、（ブロック３１６）フォトポリマ樹脂２５２による非樹脂構成要素１０８の飽和レベルを検出することを含む。この段落の上述の記載は、本開示の例１３３を特徴付けており、例１３３は上記の例１３０から例１３２のいずれか１つによる記載も含む。
【０３０７】
フォトポリマ樹脂２５２による非樹脂構成要素１０８の飽和レベルを検出することは、例えば、単に所与の位置におけるフォトポリマ樹脂２５２の存在を検出することとは対照的に、飽和の所望のレベルを正確に確保すること、例えばフォトポリマ樹脂２５２による非樹脂構成要素１０８の十分な浸透を確保することを、容易にしうる。
【０３０８】
例えば図１から図４を参照しつつ、図３４を詳細に参照するに、（ブロック３１０）フォトポリマ樹脂２５２の流れを計測することは、（ブロック３１８）フォトポリマ樹脂２５２による非樹脂構成要素１０８の飽和レベルに反応して、供給アセンブリ２６６へのフォトポリマ樹脂２５２の流れを選択的に減少させるか、又は選択的に増加させることを含む。この段落の上述の記載は、本開示の例１３４を特徴付けており、例１３４は上記の例１３３による記載も含む。
【０３０９】
飽和レベルに反応してフォトポリマ樹脂２５２の流れを選択的に減少させ、選択的に増加させることで、フォトポリマ樹脂２５２による、非樹脂構成要素１０８の所望のレベルの飽和を正確に実現することが容易になる。
【０３１０】
例えば図１から図４を参照しつつ、図３４を詳細に参照するに、（ブロック３２０）方法３００は更に、フォトポリマ樹脂２５２の非樹脂構成要素１０８への付着から生じる余分なフォトポリマ樹脂２５２を収集することを含む。この段落の上述の記載は、本開示の例１３５を特徴付けており、例１３５は上記の例１２８から例１３４のいずれか１つによる記載も含む。
【０３１１】
余分なフォトポリマ樹脂２５２を収集することで、フォトポリマ樹脂２５２が、方法３００を実行するシステムの構成要素部分と接触状態になり、それらを汚損することが回避されうる。加えて、余分なフォトポリマ樹脂２５２を収集することで、収集されたフォトポリマ樹脂２５２を後で使用すること、かつそれにより、収集されたフォトポリマ樹脂２５２の無駄を回避することが、容易になりうる。
【０３１２】
例えば図１、図６、及び図７を参照するに、非樹脂構成要素１０８は、繊維、炭素繊維、ガラス繊維、合成有機繊維、アラミド繊維、天然繊維、木質繊維、ホウ素繊維、炭化ケイ素繊維、光ファイバ、繊維束、繊維トウ、繊維織り、ワイヤ、金属ワイヤ、導電ワイヤ、又はワイヤ束のうちの一又は複数を含む。この段落の上述の記載は、本開示の例１３６を特徴付けており、例１３６は上記の例１２７から例１３５のいずれか１つによる記載も含む。
【０３１３】
連続可撓性ライン１０６内に一又は複数の繊維を含むことで、複合部品１０２の所望の性質を選択することが可能になる。更に、繊維の特定の材料の選択及び／又は繊維の特定の構成（例えば、束、トウ、及び／又は織り）の選択が、複合部品１０２の所望の性質の正確な選択を可能にしうる。複合部品１０２の例示的な性質は、強度、剛性、可撓性、硬度、導電性、熱伝導性等を含む。非樹脂構成要素１０８は、特定された例に限定されず、他の種類の非樹脂構成要素１０８も使用されうる。
【０３１４】
例えば図１を参照するに、フォトポリマ樹脂構成要素１１０は、紫外光フォトポリマ樹脂、可視光フォトポリマ樹脂、赤外光フォトポリマ樹脂、又はＸ線フォトポリマ樹脂のうちの少なくとも１つを含む。この段落の上述の記載は、本開示の例１３７を特徴付けており、例１３７は上記の例１２７から例１３６のいずれか１つによる記載も含む。
【０３１５】
紫外光フォトポリマ樹脂、赤外フォトポリマ樹脂、又はＸ線フォトポリマ樹脂は、可視光による不用意な硬化を回避するため、かつ／又は、連続可撓性ライン１０６のセグメント１２０の部分１２４への硬化エネルギー１１８の正確な方向付けを可能にするために、選択されうる。その一方で、部分１２４を硬化させるために可視光の形態の硬化エネルギー１１８が使用されうるように、可視光フォトポリマが選択されうる。
【０３１６】
例えば図１及び図８を参照しつつ、図３４を詳細に参照するに、（ブロック３０２）連続可撓性ライン１０６のセグメント１２０をプリントパス１２２に沿って堆積させることは、（ブロック３２２）連続可撓性ライン１０６をそれ自体に接するように層形成して、複合部品１０２を付加製造することを含む。この段落の上述の記載は、本開示の例１３８を特徴付けており、例１３８は上記の例１２７から例１３７のいずれか１つによる記載も含む。
【０３１７】
連続可撓性ライン１０６をそれ自体に接するように層形成することによって、方法３００の実行により三次元複合部品１０２が製造されうる。
【０３１８】
そのため、方法３００は、３Ｄプリンティング方法、及び／又は付加製造方法と表現されうる。
【０３１９】
例えば図１を参照しつつ、図３４を詳細に参照するに、（ブロック３０２）連続可撓性ライン１０６のセグメント１２０をプリントパス１２２に沿って堆積させることは、（ブロック３２４）連続可撓性ライン１０６を既定のパターンに堆積させて、複合部品１０２の一又は複数の物理特性を選択的に制御することを含む。この段落の上述の記載は、本開示の例１３９を特徴付けており、例１３９は上記の例１２７から例１３８のいずれか１つによる記載も含む。
【０３２０】
複合部品１０２の一又は複数の物理特性を制御することによって、従来型の複合レイアップ法により製造される類似の部品と比較した場合、使用される材料全体が減少し、かつ／又は、特定の部品のサイズが低減しうる。
【０３２１】
例えば、複合材料の平面プライの複数層で構築された複合部品とは対照的に、複合部品１０２は、連続可撓性ライン１０６、ひいては非樹脂構成要素１０８の配向が所望の性質をもたらすように、製造されうる。一例としては、部品が穴を含む場合、連続可撓性ラインは、穴の周囲に概して同心円又は螺旋状に配置され、結果的に、穴の境界において連続可撓性ラインには中断がなくなりうるか、又はほとんどなくなりうる。その結果として、部品の強度は、穴の周囲で、従来型の複合レイアップ法によって構築された類似の部品よりも著しく大きくなりうる。加えて、部品は、穴の境界における亀裂及びその伝播が起こりにくくなりうる。更に、穴の周囲の所望の性質により、従来型の複合レイアップ法によって構築される類似の部品と比較した場合、部品の全体的な厚み、体積、及び／又は質量が低減されうると共に、所望の性質が実現される。
【０３２２】
図１を概括的に参照しつつ、例えば図３４を詳細に参照するに、（ブロック３０２）連続可撓性ライン１０６のセグメント１２０をプリントパス１２２に沿って堆積させること、又は、（ブロック３０４）連続可撓性ライン１０６のセグメント１２０の少なくとも部分１２４に、既定の量又は能動的に決定される量の硬化エネルギー１１８を、制御された速度で供給することの少なくとも一方が、複合部品１０２の種々の場所に種々の物理特性を提供する。この段落の上述の記載は、本開示の例１４０を特徴付けており、例１４０は上記の例１２７から例１３９のいずれか１つによる記載も含む。
【０３２３】
連続可撓性ライン１０６の制御された堆積、及び／又は、硬化エネルギー１１８の制御された供給は、複合部品１０２の種々の場所に所望の物理的特性をもたらすよう選択されうる。例えば、複合部品１０２の製造において、連続可撓性ライン１０６の１つの部分を連続可撓性ライン１０６の別の部分よりも高次に、又は低次に硬化することが望ましいかもしれない。一部の応用では、例えば、材料を除去するため、かつ／又は、複合部品１０２に構造成分又は他の構成要素を付加するために、硬化の程度が低い部分が後続プロセスによって後で加工されうるように、硬化の程度が低い部分があるとよいかもしれない。
【０３２４】
例えば図１を参照するに、複合部品１０２の物理特性は、強度、剛性、可撓性、又は硬度のうちの少なくとも１つを含む。この段落の上述の記載は、本開示の例１４１を特徴付けており、例１４１は上記の例１３９又は例１４０のいずれか１つによる記載も含む。
【０３２５】
上記の物理特性の各々は、特定の目的のために選択されうる。例えば、複合部品であって、使用時にそのサブパートに複合部品の残部と比較して著しいトルクを受ける複合部品においては、複合部品の他の部分よりも、かかるサブパートの剛性を小さく、かつ／又は可撓性を大きくすることが、望ましいかもしれない。加えて、複合部品１０２の特定の応用に応じて、様々な理由のために、あるサブパートには、複合部品１０２の他の部分よりも大きな強度を組み込むことが望ましいかもしれない。
【０３２６】
例えば図１及び図８を参照しつつ、図３４を詳細に参照するに、（ブロック３０４）連続可撓性ライン１０６のセグメント１２０の少なくとも部分１２４に、既定の量又は能動的に決定される量の硬化エネルギー１１８を、制御された速度で供給することは、（ブロック３２６）連続可撓性ライン１０６のセグメント１２０の第１層１４０を、第１層１４０が堆積されていくにつれて部分的に硬化し、第２層１４２が第１層１４０に接して堆積されていくにつれて、第１層１４０を更に硬化することを含む。この段落の上述の記載は、本開示の例１４２を特徴付けており、例１４２は上記の例１２７から例１４１のいずれか１つによる記載も含む。
【０３２７】
第１層１４０が堆積されていくにつれて第１層１４０を部分的にのみ硬化することによって、第１層１４０は、粘着性を保ち、又はねばねばしたままでありうる。それによって、第２層１４２が第１層１４０に接して堆積されるにつれて第１層１４０に第２層１４２を接着することが、容易になりうる。次いで、第２層１４２に接する後続層が堆積される間に第２層１４２が部分的に硬化されていくにつれて、第１層１４０は更に硬化され、以下同様である。
【０３２８】
例えば図１及び図８を参照しつつ、図３４を詳細に参照するに、（ブロック３０４）連続可撓性ライン１０６のセグメント１２０の少なくとも部分１２４に、既定の量又は能動的に決定される量の硬化エネルギー１１８を、制御された速度で供給することは、（ブロック３２８）連続可撓性ライン１０６のセグメント１２０の第１層１４０を、第１層１４０が堆積されていくにつれて部分的に硬化し、第２層１４２が第１層１４０に接して堆積されていくにつれて、第１層１４０を完全に硬化することを含む。この段落の上述の記載は、本開示の例１４３を特徴付けており、例１４３は上記の例１２７から例１４２のいずれか１つによる記載も含む。
【０３２９】
繰り返すが、第１層１４０が堆積されていくにつれて第１層１４０を部分的にのみ硬化することによって、第１層１４０は、粘着性を保ち、又はねばねばしたままでありうる。それによって、第２層１４２が第１層１４０に接して堆積されるにつれて第１層１４０に第２層１４２を接着することが、容易になりうる。しかし、この例１４３により、第２層１４２が部分的に硬化されていくにつれて、第１層１４０は完全に硬化される。
【０３３０】
例えば図１を参照しつつ、図３４を詳細に参照するに、（ブロック３０４）連続可撓性ライン１０６のセグメント１２０の少なくとも部分１２４に、既定の量又は能動的に決定される量の硬化エネルギー１１８を、制御された速度で供給することは、（ブロック３３０）複合部品１０２を全体硬化に至らない程度に硬化させることを含む。この段落の上述の記載は、本開示の例１４４を特徴付けており、例１４４は上記の例１２７から例１４３のいずれか１つによる記載も含む。
【０３３１】
一部の応用では、例えば、材料を除去するため、かつ／又は、複合部品１０２に構造成分又は他の構成要素を付加するために、硬化の程度が低い部分が後続プロセスによって後で加工されうるように、硬化の程度が低い部分があるとよいかもしれない。
【０３３２】
例えば図１を参照しつつ、図３４を詳細に参照するに、方法３００は更に、（ブロック３３２）複合部品１０２の少なくとも一部分を限定的に硬化することを含む。この段落の上述の記載は、本開示の例１４５を特徴付けており、例１４５は上記の例１２７から例１４４のいずれか１つによる記載も含む。
【０３３３】
繰り返すが、一部の応用では、例えば、材料を除去するため、かつ／又は、複合部品１０２に構造成分又は他の構成要素を付加するために、硬化の程度が低い部分が後続プロセスによって後で加工されうるように、硬化の程度が低い部分があるとよいかもしれず、硬化の程度が低い部分は、硬化プロセスの制限から生じうる。
【０３３４】
例えば図１を参照しつつ、図３４を詳細に参照するに、（ブロック３３３）複合部品１０２の部分は、その部分の後続処理を容易にするために、限定的に硬化される。この段落の上述の記載は、本開示の例１４６を特徴付けており、例１４６は上記の例１４５による記載も含む。
【０３３５】
例えば材料を除去するため、かつ／又は、複合部品１０２に構造成分又は他の構成要素を付加するために、複合部品１０２に対する後続処理が望ましいかもしれない。
【０３３６】
例えば図１を参照しつつ、図３４を詳細に参照するに、（ブロック３０４）連続可撓性ライン１０６のセグメント１２０の少なくとも部分１２４に、既定の量又は能動的に決定される量の硬化エネルギー１１８を、制御された速度で供給することは、（ブロック３３４）複合部品１０２に変動物理特性を付与するために、硬化エネルギー１１８の供給速度又は供給時間の少なくとも一方を選択的に変えることを含む。この段落の上述の記載は、本開示の例１４７を特徴付けており、例１４７は上記の例１２７から例１４６のいずれか１つによる記載も含む。
【０３３７】
複合部品１０２の変動物理特性を付与することによって、カスタマイズされた複合部品１０２が、他のサブパートとは異なる望ましい性質を有するサブパートを伴って製造されうる。
【０３３８】
例えば図１を参照するに、複合部品１０２の変動物理特性は、強度、剛性、可撓性、又は硬度のうちの少なくとも１つを含む。この段落の上述の記載は、本開示の例１４８を特徴付けており、例１４８は上記の例１４７による記載も含む。
【０３３９】
上述のように、上記の特性の各々は、特定の目的のために選択されうる。例えば、複合部品１０２であって、使用時にそのサブパートに複合部品１０２の残部と比較して著しいトルクを受ける複合部品１０２においては、複合部品１０２の他の部分よりも、かかるサブパートの剛性を小さく、かつ／又は可撓性を大きくすることが、望ましいかもしれない。加えて、複合部品１０２の特定の応用に応じて、様々な理由のために、あるサブパートには、複合部品１０２の他の部分よりも大きな強度を組み込むことが望ましいかもしれない。
【０３４０】
例えば図１、図１２から図１６、図２３から図２５を参照しつつ、図３４を詳細に参照するに、方法３００は更に、（ブロック３３６）連続可撓性ライン１０６のセグメント１２０をプリントパス１２２に沿って堆積させるのと同時に、連続可撓性ライン１０６のセグメント１２０がプリントパス１２２に沿って堆積された後の連続可撓性ライン１０６のセグメント１２０の少なくとも区域１８０を圧縮することを含む。この段落の上述の記載は、本開示の例１４９を特徴付けており、例１４９は上記の例１２７から例１４８のいずれか１つによる記載も含む。
【０３４１】
方法３００の実行中に連続可撓性ライン１０６の区域１８０を圧縮することで、方法３００の実行中に堆積される連続可撓性ライン１０６の隣接する層の間の接着が容易になる。
【０３４２】
例えば図１及び図１３を参照しつつ、図３４を詳細に参照するに、（ブロック３３６）連続可撓性ライン１０６のセグメント１２０がプリントパス１２２に沿って堆積された後の連続可撓性ライン１０６のセグメント１２０の少なくとも区域１８０を圧縮することは、（ブロック３３８）連続可撓性ライン１０６のセグメント１２０に所望の断面形状を付与することを含む。この段落の上述の記載は、本開示の例１５０を特徴付けており、例１５０は上記の例１４９による記載も含む。
【０３４３】
一部の応用では、連続可撓性ライン１０６が堆積されていくにつれて、それに既定の断面形状を付与することが望ましいかもしれない。
【０３４４】
例えば図１、図１２、及び図２３を参照しつつ、図３４を詳細に参照するに、方法３００は更に、（ブロック３４０）連続可撓性ライン１０６のセグメント１２０をプリントパス１２２に沿って堆積させるのと同時に、連続可撓性ライン１０６のセグメント１２０がプリントパス１２２に沿って堆積された後の連続可撓性ライン１０６のセグメント１２０の少なくとも区域１９４を粗面化することを含む。この段落の上述の記載は、本開示の例１５１を特徴付けており、例１５１は上記の例１２７から例１５０のいずれか１つによる記載も含む。
【０３４５】
連続可撓性ライン１０６の区域１９４を粗面化することで、その表面積が増大し、方法３００の実行中にそこに接して堆積される連続可撓性ライン１０６の後続層の接着に役立つ。
【０３４６】
例えば図１及び図２３を参照しつつ、図３４を詳細に参照するに、方法３００は更に、（ブロック３４２）連続可撓性ライン１０６のセグメント１２０の少なくとも区域１９４を粗面化するのと同時に、連続可撓性ライン１０６のセグメント１２０の少なくとも区域１９４を粗面化することから生じるデブリを収集することを含む。この段落の上述の記載は、本開示の例１５２を特徴付けており、例１５２は上記の例１５１による記載も含む。
【０３４７】
区域１９４を粗面化することから生じるデブリを収集することで、フォトポリマ樹脂構成要素１１０の望ましくない遊離粒子であって、連続可撓性ライン１０６の堆積される隣接層の間に入り込む遊離粒子が回避される。遊離粒子は、回避されなければ、複合部品１０２の望ましくない性質をもたらしうる。
【０３４８】
例えば図１及び図２３を参照しつつ、図３４を詳細に参照するに、方法３００は更に、（ブロック３４４）連続可撓性ライン１０６のセグメント１２０の少なくとも区域１９４を粗面化するのと同時に、連続可撓性ライン１０６のセグメント１２０の少なくとも区域１９４を粗面化することから生じるデブリを消散させることを含む。この段落の上述の記載は、本開示の例１５３を特徴付けており、例１５３は上記の例１５１による記載も含む。
【０３４９】
区域１９４を粗面化することから生じるデブリを消散させることで、フォトポリマ樹脂構成要素１１０の望ましくない遊離粒子であって、連続可撓性ライン１０６の堆積される隣接層の間に入り込む遊離粒子が回避される。遊離粒子は、回避されなければ、複合部品１０２の望ましくない性質をもたらしうる。
【０３５０】
例えば図１、図１７から図２０、図２３、図３２、及び図３３を参照しつつ、図３４を詳細に参照するに、方法３００は更に、（ブロック３４６）連続可撓性ライン１０６を選択的に切断することを含む。この段落の上述の記載は、本開示の例１５４を特徴付けており、例１５４は上記の例１２７から例１５３のいずれか１つによる記載も含む。
【０３５１】
方法３００の実行において連続可撓性ライン１０６を選択的に切断することで、複合部品１０２の種々の場所における連続可撓性ライン１０６の終了及び開始が可能になる。
【０３５２】
例えば図１、図１７から図２０、図２３、図３２、及び図３３を参照しつつ、図３４を詳細に参照するに、（ブロック３４７）連続可撓性ライン１０６のセグメント１２０をプリントパス１２２に沿って堆積させるのと同時に、連続可撓性ライン１０６は選択的に切断される。この段落の上述の記載は、本開示の例１５５を特徴付けており、例１５５は上記の例１５４による記載も含む。
【０３５３】
連続可撓性ライン１０６の切断と供給とを同時に行うことで、プリントパス１２２に沿った、連続可撓性ライン１０６の制御された堆積が提供される。
【０３５４】
例えば図１を参照しつつ、図３４を詳細に参照するに、方法３００は更に、（ブロック３４８）連続可撓性ライン１０６のセグメント１２０の少なくとも部分１２４に、既定の量又は能動的に決定される量の硬化エネルギー１１８を、制御された速度で供給するのと同時に、連続可撓性ライン１０６のセグメント１２０の少なくとも部分１２４を、セグメント１２０が供給ガイド１１２から出た後の酸化から少なくとも部分的に保護することを含む。この段落の上述の記載は、本開示の例１５６を特徴付けており、例１５６は上記の例１２７から例１５５のいずれか１つによる記載も含む。
【０３５５】
部分１２４を酸化から保護することで、部分１２４の、後続の及び／又は同時的な硬化が容易になりうる。
【０３５６】
例えば図１を参照しつつ、図３４を詳細に参照するに、（ブロック３４９）連続可撓性ライン１０６のセグメント１２０の少なくとも部分１２４は、シールドガス２２１を用いて、酸化から少なくとも部分的に保護される。この段落の上述の記載は、本開示の例１５７を特徴付けており、例１５７は上記の例１５６による記載も含む。
【０３５７】
繰り返すが、部分１２４を酸化から保護することで、部分１２４の、後続の及び／又は同時的な硬化が容易になりうる。
【０３５８】
例えば図１を参照しつつ、図３４を詳細に参照するに、方法３００は更に、（ブロック３５０）連続可撓性ライン１０６のセグメント１２０をプリントパス１２２に沿って堆積させるのと同時に、複合部品１０２における不具合を検出することを含む。この段落の上述の記載は、本開示の例１５８を特徴付けており、例１５８は上記の例１２７から例１５７のいずれか１つによる記載も含む。
【０３５９】
セグメント１２０における不具合を検出することで、複合部品１０２の完成以前に、不具合を有する複合部品１０２を選択的に廃棄することが可能になる。そのため、材料の無駄が少なくなりうる。更に、検出されなければ様々な種類の不具合検出器による視認から隠されることになる不具合が、連続可撓性ライン１０６の後続層が不具合を視認から見えにくくするか、又は隠す以前に、検出されうる。
【０３６０】
例えば図１を参照しつつ、図３４を詳細に参照するに、（ブロック３０２）連続可撓性ライン１０６のセグメント１２０をプリントパス１２２に沿って堆積させることは、（ブロック３５２）連続可撓性ライン１０６のセグメント１２０の少なくとも一部分を犠牲層の上に堆積させることを含む。この段落の上述の記載は、本開示の例１５９を特徴付けており、例１５９は上記の例１２７から例１５８のいずれか１つによる記載も含む。
【０３６１】
犠牲層を使用することで、初期層の初期堆積のための外型、表面１１４、又は他の剛性構造を必要とすることなく、連続可撓性ライン１０６の初期層の空中での堆積が可能になりうる。つまり、犠牲層は、犠牲層ではない層の後続堆積のための外型となりうる。
【０３６２】
例えば図１を参照しつつ、図３４を詳細に参照するに、方法３００は更に、（ブロック３５４）犠牲層を除去して複合部品１０２を形成することを含む。この段落の上述の記載は、本開示の例１６０を特徴付けており、例１６０は上記の例１５９による記載も含む。
【０３６３】
犠牲層を除去することで、所望の状態の複合部品１０２がもたらされ、所望の状態とは、完成状態でありうるか、又は、その後に方法３００の完了後のプロセスによって処理される状態でありうる。
【０３６４】
例えば図１を参照しつつ、図３４を詳細に参照するに、方法３００は更に、（ブロック３５６）連続可撓性ライン１０６Ａのセグメント１２０Ａをプリントパス１２２に沿って堆積させることを含む。この段落の上述の記載は、本開示の例１６１を特徴付けており、例１６１は上記の例１２７から例１６０のいずれか１つによる記載も含む。
【０３６５】
換言すると、種々の構成の連続可撓性ライン１０６が、方法３００の実行において使用されうる。
【０３６６】
例えば、種々の連続可撓性ライン１０６の種々の性質が、複合部品１０２の種々のサブパートに関して選択されうる。一例としては、連続可撓性ライン１０６は、複合部品１０２のかなりの部分について炭素繊維を含む非樹脂構成要素１０８を備えうるが、連続可撓性ライン１０６は、電子部品との接続に不可欠な電路を画定するために、別の部分については銅配線を含む非樹脂構成要素１０８を備えうる。追加的又は代替的には、複合部品１０２の内部のために選択された非樹脂構成要素１０８とは異なる非樹脂構成要素１０８が、複合部品１０２の外表面のために選択されうる。他の様々な例も、例１６１の範囲に含まれる。
【０３６７】
例えば図１を参照するに、連続可撓性ライン１０６Ａは、非樹脂構成要素１０８又はフォトポリマ樹脂構成要素１１０の少なくとも一方が、連続可撓性ライン１０６とは異なる。この段落の上述の記載は、本開示の例１６２を特徴付けており、例１６２は上記の例１６１による記載も含む。
【０３６８】
方法３００の実行において非樹脂構成要素１０８及び／又はフォトポリマ樹脂構成要素１１０が変わることで、カスタマイズされた複合部品１０２を、複合部品１０２全体を通じて変わる所望の性質を伴って製造することが可能になる。
【０３６９】
例えば図１、図３から図４、及び図２３から図３１を参照しつつ、図３４を詳細に参照するに、（ブロック３０２）連続可撓性ライン１０６のセグメント１２０をプリントパス１２２に沿って堆積させることは、（ブロック３５８）供給ガイド１１２を通して連続可撓性ライン１０６を押すことを含む。この段落の上述の記載は、本開示の例１６３を特徴付けており、例１６３は上記の例１２７から例１６２のいずれか１つによる記載も含む。
【０３７０】
供給ガイド１１２を通して連続可撓性ライン１０６を押すことによって、供給ガイド１１２は、本書の送り機構１０４のような連続可撓性ライン１０６を押す原動力の供給源の下流に配置されうる。その結果として、原動力のかかる供給源は連続可撓性ライン１０６の堆積を邪魔せず、供給ガイド１１２は、方法３００の実行中に、複雑な三次元パターンにおいてより容易に操作されうる。
【０３７１】
例えば図１から図１１、図１４、及び図２１から図３１を参照しつつ、図３５を詳細に参照するに、複合部品１０２を付加製造する方法４００が開示されている。方法４００は、（ブロック４０２）供給アセンブリ２６６を通して連続可撓性ライン１０６を押している間にフォトポリマ樹脂２５２を非樹脂構成要素１０８に付着させることを含む。連続可撓性ライン１０６は、非樹脂構成要素１０８と、非樹脂構成要素１０８に付着した少なくともいくらかのフォトポリマ樹脂２５２を含む、フォトポリマ樹脂構成要素１１０とを備える。方法４００は、（ブロック４０４）連続可撓性ライン１０６のセグメント１２０をプリントパス１２２に沿って、供給アセンブリ２６６を介して、堆積させることも含む。方法４００は更に、（ブロック４０６）プリントパス１２２に沿って堆積された連続可撓性ライン１０６のセグメント１２０の少なくとも部分１２４に、硬化エネルギー１１８を供給することを含む。この段落の上述の記載は、本開示の例１６４を特徴付ける。
【０３７２】
従って方法４００は、初期には未硬化状態であるフォトポリマ樹脂構成要素１１０を含み、かつ、複合部品１０２が製造されている間に、すなわち原位置で、硬化エネルギー１１８によって少なくとも部分的に硬化される、少なくとも１つの複合材料から複合部品１０２を製造するために、実行されうる。複合部品１０２の製造中にフォトポリマ樹脂２５２を非樹脂構成要素１０８に付着させることによって、複合部品１０２の製造中に連続可撓性ライン１０６が作り出される。そのため、種々の非樹脂構成要素１０８及び／又は種々のフォトポリマ樹脂２５２が、複合部品１０２の中の種々の場所に種々の特性を備えた所望の複合部品１０２をカスタマイズするか、若しくは作り出すために、方法４００の実行中に選択されうる。更に、方法４００は、例えば複合部品１０２の所望の性質を決定するために複合部品１０２全体を通じて所望の及び／又は既定の位置付けに配向される連続可撓性ライン１０６で、複合部品１０２を製造するために実行されうる。
【０３７３】
方法４００は、システム１００によって実行されうる。
【０３７４】
例えば図１から図４を参照しつつ、図３５を詳細に参照するに、（ブロック４０２）供給ガイド２６６を通して連続可撓性ライン１０６を押している間にフォトポリマ樹脂２５２を非樹脂構成要素１０８に付着させることは、（ブロック４０８）フォトポリマ樹脂２５２を供給アセンブリ２６６内へと注入することを含む。この段落の上述の記載は、本開示の例１６５を特徴付けており、例１６５は上記の例１６４による記載も含む。
【０３７５】
例えば樹脂槽に通して非樹脂構成要素１０８を引き出すことと対照的に、フォトポリマ樹脂２５２を供給アセンブリ２６６内に注入することで、フォトポリマ樹脂２５２の非樹脂構成要素１０８への付着の正確な制御が可能になる。
【０３７６】
例えば図１から図４を参照しつつ、図３５を詳細に参照するに、（ブロック４０２）供給アセンブリ２６６を通して連続可撓性ライン１０６を押している間にフォトポリマ樹脂２５２を非樹脂構成要素１０８に付着させることは、（ブロック４１０）フォトポリマ樹脂２５２の流れを計測することを含む。この段落の上述の記載は、本開示の例１６６を特徴付けており、例１６６は上記の例１６４又は例１６５のいずれか１つによる記載も含む。
【０３７７】
フォトポリマ樹脂２５２の流れを計測することで、非樹脂構成要素１０８に付着するフォトポリマ樹脂２５２の体積の選択的な増加及び選択的な減少が可能になる。そのため、フォトポリマ樹脂２５２による非樹脂構成要素１０８の所望のレベルの飽和が実現されうる。
【０３７８】
例えば図１から図４を参照しつつ、図３５を詳細に参照するに、（ブロック４１０）フォトポリマ樹脂２５２の流れを計測することは、（ブロック４１２）供給アセンブリ２６６の中のフォトポリマ樹脂２５２の高さを検出することを含む。この段落の上述の記載は、本開示の例１６７を特徴付けており、例１６７は上記の例１６６による記載も含む。
【０３７９】
供給アセンブリ２６６の中のフォトポリマ樹脂２５２の高さを検出することで、フォトポリマ樹脂２５２の非樹脂構成要素１０８への流れを計測するための、データ入力が提供される。
【０３８０】
例えば図１から図４を参照しつつ、図３５を詳細に参照するに、（ブロック４１０）フォトポリマ樹脂２５２の流れを計測することは、（ブロック４１４）供給アセンブリ２６６の中のフォトポリマ樹脂２５２の高さに反応して、供給アセンブリ２６６へのフォトポリマ樹脂２５２の流れを選択的に減少させるか、又は選択的に増加させることを含む。この段落の上述の記載は、本開示の例１６８を特徴付けており、例１６８は上記の例１６７による記載も含む。
【０３８１】
フォトポリマ樹脂２５２の流れを選択的に減少させることで、供給アセンブリからオーバーフローするフォトポリマ樹脂２５２を回避することが可能になる。フォトポリマ樹脂２５２の流れを選択的に増加させることで、フォトポリマ樹脂２５２による、非樹脂構成要素１０８の望ましくないほどに低レベルの飽和を回避することが可能になる。
【０３８２】
例えば図１から図４を参照しつつ、図３５を詳細に参照するに、（ブロック４１０）フォトポリマ樹脂２５２の流れを計測することは、（ブロック４１６）フォトポリマ樹脂２５２による非樹脂構成要素１０８の飽和レベルを検出することを含む。この段落の上述の記載は、本開示の例１６９を特徴付けており、例１６９は上記の例１６６から例１６８のいずれか１つによる記載も含む。
【０３８３】
フォトポリマ樹脂２５２による非樹脂構成要素１０８の飽和レベルを検出することは、例えば、単に所与の位置におけるフォトポリマ樹脂２５２の存在を検出することとは対照的に、飽和の所望のレベルを正確に確保すること、例えばフォトポリマ樹脂２５２による非樹脂構成要素１０８の十分な浸透を確保することを、容易にしうる。
【０３８４】
例えば図１から図４を参照しつつ、図３５を詳細に参照するに、（ブロック４１０）フォトポリマ樹脂２５２の流れを計測することは、（ブロック４１８）フォトポリマ樹脂２５２による非樹脂構成要素１０８の飽和レベルに反応して、供給アセンブリ２６６へのフォトポリマ樹脂２５２の流れを選択的に減少させるか、又は選択的に増加させることを含む。この段落の上述の記載は、本開示の例１７０を特徴付けており、例１７０は上記の例１６９による記載も含む。
【０３８５】
飽和レベルに反応してフォトポリマ樹脂２５２の流れを選択的に減少させ、選択的に増加させることで、フォトポリマ樹脂２５２による、非樹脂構成要素１０８の所望のレベルの飽和を正確に実現することが容易になる。
【０３８６】
例えば図１から図２を参照しつつ、図３５を詳細に参照するに、方法４００は更に、（ブロック４２０）フォトポリマ樹脂２５２の非樹脂構成要素１０８への付着から生じる余分なフォトポリマ樹脂２５２を収集することを含む。この段落の上述の記載は、本開示の例１７１を特徴付けており、例１７１は上記の例１６４から例１７０のいずれか１つによる記載も含む。
【０３８７】
余分なフォトポリマ樹脂２５２を収集することで、フォトポリマ樹脂２５２が、方法４００を実行するシステムの構成要素部分と接触状態になり、それらを汚損することが回避されうる。加えて、余分なフォトポリマ樹脂２５２を収集することで、収集されたフォトポリマ樹脂２５２を後で使用すること、かつそれにより、収集されたフォトポリマ樹脂２５２の無駄を回避することが、容易になりうる。
【０３８８】
例えば図１、図６から図１１、図１４、及び図２１から図２８を参照しつつ、図３５を詳細に参照するに、（ブロック４０７）プリントパス１２２に向けて、供給アセンブリ２６６を通して連続可撓性ライン１０６が押されるにつれて、連続可撓性ライン１０６のセグメント１２０がプリントパス１２２に沿って堆積された後に、硬化エネルギー１１８は連続可撓性ライン１０６のセグメント１２０の少なくとも部分１２４に供給される。この段落の上述の記載は、本開示の例１７２を特徴付けており、例１７２は上記の例１６４から例１７１のいずれか１つによる記載も含む。
【０３８９】
硬化と押圧とを同時に行うことで、複合部品１０２の原位置での硬化がもたらされ、例えばオートクレーブ内での後続硬化は必要なくなるかもしれない。
【０３９０】
例えば図１、図６から図１１、図１４、及び、図２１から図２８を参照しつつ、図３５を詳細に参照するに、（ブロック４０６）連続可撓性ライン１０６のセグメント１２０の少なくとも部分１２４に、硬化エネルギー１１８を供給することは、（ブロック４２２）連続可撓性ライン１０６をプリントパス１２２に向けて進行させつつ、連続可撓性ライン１０６のセグメント１２０がプリントパス１２２に沿って堆積された後に、連続可撓性ライン１０６のセグメント１２０の少なくとも部分１２４を少なくとも部分的に硬化させるために、連続可撓性ライン１０６のセグメント１２０の少なくとも部分１２４に、既定の量又は能動的に決定される量の硬化エネルギー１１８を、制御された速度で供給することを含む。この段落の上述の記載は、本開示の例１７３を特徴付けており、例１７３は上記の例１６４から例１７２のいずれか１つによる記載も含む。
【０３９１】
既定の量又は能動的に決定される量の硬化エネルギー１１８を制御された速度で供給することの結果として、複合部品１０２の製造中のいかなる時点においても、セグメント１２０の部分１２４に関して、所望の硬化レベル又は硬化程度が達成されうる。例えば本書に記載されているように、いくつかの例では、複合部品１０２の製造において、１つの部分１２４を別の部分１２４よりも高次に、又は低次に硬化することが望ましいかもしれない。
【０３９２】
例えば図１及び図８を参照しつつ、図３５を詳細に参照するに、（ブロック４２２）連続可撓性ライン１０６のセグメント１２０の少なくとも部分１２４に、既定の量又は能動的に決定される量の硬化エネルギー１１８を、制御された速度で供給することは、（ブロック４２４）連続可撓性ライン１０６のセグメント１２０の第１層１４０を、第１層１４０が堆積されていくにつれて部分的に硬化し、第２層１４２が第１層１４０に接して堆積されていくにつれて、第１層１４０を更に硬化することを含む。この段落の上述の記載は、本開示の例１７４を特徴付けており、例１７４は上記の例１７３による記載も含む。
【０３９３】
第１層１４０が堆積されていくにつれて第１層１４０を部分的にのみ硬化することによって、第１層１４０は、粘着性を保ち、又はねばねばしたままでありうる。それによって、第２層１４２が第１層１４０に接して堆積されるにつれて第１層１４０に第２層１４２を接着することが、容易になりうる。次いで、第２層１４２に接する後続層が堆積される間に第２層１４２が部分的に硬化されていくにつれて、第１層１４０は更に硬化され、以下同様である。
【０３９４】
例えば図１及び図８を参照しつつ、図３５を詳細に参照するに、（ブロック４２２）連続可撓性ライン１０６のセグメント１２０の少なくとも部分１２４に、既定の量又は能動的に決定される量の硬化エネルギー１１８を、制御された速度で供給することは、（ブロック４２６）連続可撓性ライン１０６のセグメント１２０の第１層１４０を、第１層１４０が堆積されていくにつれて部分的に硬化し、第２層１４２が第１層１４０に接して堆積されていくにつれて、第１層１４０を完全に硬化することを含む。この段落の上述の記載は、本開示の例１７５を特徴付けており、例１７５は上記の例１７３又は例１７４のいずれか１つによる記載も含む。
【０３９５】
繰り返すが、第１層１４０が堆積されていくにつれて第１層１４０を部分的にのみ硬化することによって、第１層１４０は、粘着性を保ち、又はねばねばしたままでありうる。それによって、第２層１４２が第１層１４０に接して堆積されるにつれて第１層１４０に第２層１４２を接着することが、容易になりうる。しかし、この例１７５により、第２層１４２が部分的に硬化されていくにつれて、第１層１４０は完全に硬化される。
【０３９６】
例えば図１を参照しつつ、図３５を詳細に参照するに、（ブロック４２２）連続可撓性ライン１０６のセグメント１２０の少なくとも部分１２４に、既定の量又は能動的に決定される量の硬化エネルギー１１８を、制御された速度で供給することは、（ブロック４２８）複合部品１０２を全体硬化に至らない程度に硬化させることを含む。この段落の上述の記載は、本開示の例１７６を特徴付けており、例１７６は上記の例１７３から例１７５のいずれか１つによる記載も含む。
【０３９７】
一部の応用では、例えば、材料を除去するため、かつ／又は、複合部品１０２に構造成分又は他の構成要素を付加するために、硬化の程度が低い部分が後続プロセスによって後で加工されうるように、硬化の程度が低い部分があるとよいかもしれない。
【０３９８】
例えば図１を参照しつつ、図３５を詳細に参照するに、（ブロック４２２）連続可撓性ライン１０６のセグメント１２０の少なくとも部分１２４に、既定の量又は能動的に決定される量の硬化エネルギー１１８を、制御された速度で供給することは、（ブロック４３０）複合部品１０２に変動物理特性を付与するために、硬化エネルギー１１８の供給速度又は供給時間の少なくとも一方を選択的に変えることを含む。この段落の上述の記載は、本開示の例１７７を特徴付けており、例１７７は上記の例１７３から例１７６のいずれか１つによる記載も含む。
【０３９９】
複合部品１０２の変動物理特性を付与することによって、カスタマイズされた複合部品１０２が、他のサブパートとは異なる望ましい性質を有するサブパートを伴って製造されうる。
【０４００】
例えば図１を参照するに、複合部品１０２の変動物理特性は、強度、剛性、可撓性、又は硬度のうちの少なくとも１つを含む。この段落の上述の記載は、本開示の例１７８を特徴付けており、例１７８は上記の例１７７による記載も含む。
【０４０１】
上述のように、上記の特性の各々は、特定の目的のために選択されうる。例えば、複合部品１０２であって、使用時にそのサブパートに複合部品１０２の残部と比較して著しいトルクを受ける複合部品１０２においては、複合部品１０２の他の部分よりも、かかるサブパートの剛性を小さく、かつ／又は可撓性を大きくすることが、望ましいかもしれない。加えて、複合部品１０２の特定の応用に応じて、様々な理由のために、あるサブパートには、複合部品１０２の他の部分よりも大きな強度を組み込むことが望ましいかもしれない。
【０４０２】
例えば図１、図６、及び図７を参照するに、非樹脂構成要素１０８は、繊維、炭素繊維、ガラス繊維、合成有機繊維、アラミド繊維、天然繊維、木質繊維、ホウ素繊維、炭化ケイ素繊維、光ファイバ、繊維束、繊維トウ、繊維織り、ワイヤ、金属ワイヤ、導電ワイヤ、又はワイヤ束のうちの一又は複数を含む。この段落の上述の記載は、本開示の例１７９を特徴付けており、例１７９は上記の例１６４から例１７８のいずれか１つによる記載も含む。
【０４０３】
連続可撓性ライン１０６内に一又は複数の繊維を含むことで、複合部品１０２の所望の性質を選択することが可能になる。更に、繊維の特定の材料の選択及び／又は繊維の特定の構成（例えば、束、トウ、及び／又は織り）の選択が、複合部品１０２の所望の性質の正確な選択を可能にしうる。複合部品１０２の例示的な性質は、強度、剛性、可撓性、硬度、導電性、熱伝導性等を含む。非樹脂構成要素１０８は、特定された例に限定されず、他の種類の非樹脂構成要素１０８も使用されうる。
【０４０４】
例えば図１を参照するに、フォトポリマ樹脂２５２は、紫外光フォトポリマ樹脂、可視光フォトポリマ樹脂、赤外光フォトポリマ樹脂、又はＸ線フォトポリマ樹脂のうちの少なくとも１つを含む。この段落の上述の記載は、本開示の例１８０を特徴付けており、例１８０は上記の例１６４から例１７９のいずれか１つによる記載も含む。
【０４０５】
紫外光フォトポリマ、赤外フォトポリマ樹脂、又はＸ線フォトポリマ樹脂は、可視光による不用意な硬化を回避するため、かつ／又は、連続可撓性ライン１０６のセグメント１２０の部分１２４への硬化エネルギー１１８の正確な方向付けを可能にするために、選択されうる。その一方で、部分１２４を硬化させるために可視光の形態の硬化エネルギー１１８が使用されうるように、可視光フォトポリマが選択されうる。
【０４０６】
例えば図１及び図８を参照しつつ、図３５を詳細に参照するに、（ブロック４０４）連続可撓性ライン１０６のセグメント１２０をプリントパス１２２に沿って堆積させることは、（ブロック４３２）連続可撓性ライン１０６をそれ自体に接するように層形成して、複合部品１０２を付加製造することを含む。この段落の上述の記載は、本開示の例１８１を特徴付けており、例１８１は上記の例１６４から例１８０のいずれか１つによる記載も含む。
【０４０７】
連続可撓性ライン１０６をそれ自体に接するように層形成することによって、方法４００の実行により三次元複合部品１０２が製造されうる。
【０４０８】
例えば図１を参照しつつ、図３５を詳細に参照するに、（ブロック４０４）連続可撓性ライン１０６のセグメント１２０をプリントパス１２２に沿って堆積させることは、（ブロック４３４）連続可撓性ライン１０６を既定のパターンに堆積させて、複合部品１０２の一又は複数の物理特性を選択的に制御することを含む。この段落の上述の記載は、本開示の例１８２を特徴付けており、例１８２は上記の例１６４から例１８１のいずれか１つによる記載も含む。
【０４０９】
複合部品１０２の一又は複数の物理特性を制御することによって、従来型の複合レイアップ法により製造される類似の部品と比較した場合、使用される材料全体が減少し、かつ／又は、特定の部品のサイズが低減しうる。
【０４１０】
例えば、複合材料の平面プライの複数層で構築された複合部品とは対照的に、複合部品１０２は、連続可撓性ライン１０６、ひいては非樹脂構成要素１０８の配向が所望の性質をもたらすように、製造されうる。一例としては、部品が穴を含む場合、連続可撓性ラインは、穴の周囲に概して同心円又は螺旋状に配置され、結果的に、穴の境界において連続可撓性ライン１０６には中断がなくなりうるか、又はほとんどなくなりうる。その結果として、部品の強度は、穴の周囲で、従来型の複合レイアップ法によって構築された類似の部品よりも著しく大きくなりうる。加えて、部品は、穴の境界における亀裂及びその伝播が起こりにくくなりうる。更に、穴の周囲の所望の性質により、従来型の複合レイアップ法によって構築される類似の部品と比較した場合、部品の全体的な厚み、体積、及び／又は質量が低減されうると共に、所望の性質が実現される。
【０４１１】
例えば図１を参照しつつ、図３５を詳細に参照するに、（ブロック４０４）連続可撓性ライン１０６のセグメント１２０をプリントパス１２２に沿って堆積させること、又は、（ブロック４０６）連続可撓性ライン１０６のセグメント１２０の少なくとも部分１２４に、硬化エネルギー１１８を供給することの少なくとも一方が、複合部品１０２の種々の場所に種々の物理特性を提供する。この段落の上述の記載は、本開示の例１８３を特徴付けており、例１８３は上記の例１６４から例１８２のいずれか１つによる記載も含む。
【０４１２】
繰り返すが、様々な理由及び応用のために、種々の場所に種々の特性を備えた複合部品１０２を製造することが望ましいかもしれない。
【０４１３】
例えば図１を参照するに、複合部品１０２の物理特性は、強度、剛性、可撓性、又は硬度のうちの少なくとも１つを含む。この段落の上述の記載は、本開示の例１８４を特徴付けており、例１８４は上記の例１８２又は例１８３のいずれか１つによる記載も含む。
【０４１４】
上記の特性の各々は、特定の目的のために選択されうる。例えば、複合部品であって、使用時にそのサブパートに複合部品の残部と比較して著しいトルクを受ける複合部品においては、複合部品の他の部分よりも、かかるサブパートの剛性を小さく、かつ／又は可撓性を大きくすることが、望ましいかもしれない。加えて、複合部品１０２の特定の応用に応じて、様々な理由のために、あるサブパートには、複合部品１０２の他の部分よりも大きな強度を組み込むことが望ましいかもしれない。
【０４１５】
例えば図１を参照しつつ、図３５を詳細に参照するに、方法４００は更に、（ブロック４３６）複合部品１０２の少なくとも一部分を限定的に硬化することを含む。この段落の上述の記載は、本開示の例１８５を特徴付けており、例１８５は上記の例１６４から例１８４のいずれか１つによる記載も含む。
【０４１６】
繰り返すが、一部の応用では、例えば、材料を除去するため、かつ／又は、複合部品１０２に構造成分又は他の構成要素を付加するために、硬化の程度が低い部分が後続プロセスによって後で加工されうるように、硬化の程度が低い部分があるとよいかもしれず、硬化の程度が低い部分は、硬化プロセスの制限から生じうる。
【０４１７】
例えば図１を参照しつつ、図３５を詳細に参照するに、（ブロック４３７）複合部品１０２の部分は、その部分の後続処理を容易にするために、限定的に硬化される。この段落の上述の記載は、本開示の例１８６を特徴付けており、例１８６は上記の例１８５による記載も含む。
【０４１８】
例えば材料を除去するため、かつ／又は、複合部品１０２に構造成分又は他の構成要素を付加するために、複合部品１０２の後続処理が望ましいかもしれない。
【０４１９】
例えば図１、図１２から図１６、図２３から図２５を参照しつつ、図３５を詳細に参照するに、方法４００は更に、（ブロック４３８）連続可撓性ライン１０６のセグメント１２０をプリントパス１２２に沿って堆積させるのと同時に、連続可撓性ライン１０６のセグメント１２０がプリントパス１２２に沿って堆積された後の連続可撓性ライン１０６のセグメント１２０の少なくとも区域１８０を圧縮することを含む。この段落の上述の記載は、本開示の例１８７を特徴付けており、例１８７は上記の例１６４から例１８６のいずれか１つによる記載も含む。
【０４２０】
方法４００の実行中に連続可撓性ライン１０６の区域１８０を圧縮することで、方法４００の実行中に堆積される連続可撓性ライン１０６の隣接する層の間の接着が容易になる。
【０４２１】
例えば図１及び図１３を参照しつつ、図３５を詳細に参照するに、（ブロック４３８）連続可撓性ライン１０６のセグメント１２０がプリントパス１２２に沿って堆積された後の連続可撓性ライン１０６のセグメント１２０の少なくとも区域１８０を圧縮することは、（ブロック４４０）連続可撓性ライン１０６のセグメント１２０に所望の断面形状を付与することを含む。この段落の上述の記載は、本開示の例１８８を特徴付けており、例１８８は上記の例１８７による記載も含む。
【０４２２】
一部の応用では、連続可撓性ライン１０６が堆積されていくにつれて、それに既定の断面形状を付与することが望ましいかもしれない。
【０４２３】
例えば図１、図１２、及び図２３を参照しつつ、図３５を詳細に参照するに、方法４００は更に、（ブロック４４２）連続可撓性ライン１０６のセグメント１２０をプリントパス１２２に沿って堆積させるのと同時に、連続可撓性ライン１０６のセグメント１２０がプリントパス１２２に沿って堆積された後の連続可撓性ライン１０６のセグメント１２０の少なくとも区域１９４を粗面化することを含む。この段落の上述の記載は、本開示の例１８９を特徴付けており、例１８９は上記の例１６４から例１８８のいずれか１つによる記載も含む。
【０４２４】
連続可撓性ライン１０６の区域１９４を粗面化することで、その表面積が増大し、方法４００の実行中にそこに接して堆積される連続可撓性ライン１０６の後続層の接着に役立つ。
【０４２５】
例えば図１及び図２３を参照しつつ、図３５を詳細に参照するに、方法４００は更に、（ブロック４４４）連続可撓性ライン１０６のセグメント１２０の少なくとも区域１９４を粗面化するのと同時に、連続可撓性ライン１０６のセグメント１２０の少なくとも区域１９４を粗面化することから生じるデブリを収集することを含む。この段落の上述の記載は、本開示の例１９０を特徴付けており、例１９０は上記の例１８９による記載も含む。
【０４２６】
区域１９４を粗面化することから生じるデブリを収集することで、フォトポリマ樹脂構成要素１１０の望ましくない遊離粒子であって、連続可撓性ライン１０６の堆積される隣接層の間に入り込む遊離粒子が回避される。遊離粒子は、回避されなければ、複合部品１０２の望ましくない性質をもたらしうる。
【０４２７】
例えば図１及び図２３を参照しつつ、図３５を詳細に参照するに、方法４００は更に、（ブロック４４６）連続可撓性ライン１０６のセグメント１２０の少なくとも区域１９４を粗面化するのと同時に、連続可撓性ライン１０６のセグメント１２０の少なくとも区域１９４を粗面化することから生じるデブリを消散させることを含む。この段落の上述の記載は、本開示の例１９１を特徴付けており、例１９１は上記の例１８９による記載も含む。
【０４２８】
区域１９４を粗面化することから生じるデブリを消散させることで、フォトポリマ樹脂構成要素１１０の望ましくない遊離粒子であって、連続可撓性ライン１０６の堆積される隣接層の間に入り込む遊離粒子が回避される。遊離粒子は、回避されなければ、複合部品１０２の望ましくない性質をもたらしうる。
【０４２９】
例えば図１、図１７から図２０、図２３、図３２、及び図３３を参照しつつ、図３５を詳細に参照するに、方法４００は更に、（ブロック４４８）連続可撓性ライン１０６を選択的に切断することを含む。この段落の上述の記載は、本開示の例１９２を特徴付けており、例１９２は上記の例１６４から例１９１のいずれか１つによる記載も含む。
【０４３０】
方法３００の実行において連続可撓性ライン１０６を選択的に切断することで、複合部品１０２の種々の場所における連続可撓性ライン１０６の終了及び開始が可能になる。
【０４３１】
例えば図１、図１７から図２０、図２３、図３２、及び図３３を参照しつつ、図３５を詳細に参照するに、（ブロック４４９）連続可撓性ライン１０６のセグメント１２０をプリントパス１２２に沿って堆積させるのと同時に、連続可撓性ライン１０６は選択的に切断される。この段落の上述の記載は、本開示の例１９３を特徴付けており、例１９３は上記の例１９２による記載も含む。
【０４３２】
連続可撓性ライン１０６の切断と堆積とを同時に行うことで、プリントパス１２２に沿った、連続可撓性ライン１０６の制御された堆積が提供される。
【０４３３】
例えば図１を参照しつつ、図３５を詳細に参照するに、方法４００は更に、（ブロック４５０）連続可撓性ライン１０６のセグメント１２０の少なくとも部分１２４に、硬化エネルギー１１８を供給するのと同時に、連続可撓性ライン１０６のセグメント１２０の少なくとも部分１２４を、セグメント１２０が供給アセンブリ２６６から出た後の酸化から少なくとも部分的に保護することを含む。この段落の上述の記載は、本開示の例１９４を特徴付けており、例１９４は上記の例１６４から例１９３のいずれか１つによる記載も含む。
【０４３４】
部分１２４を酸化から保護することで、部分１２４の、後続の及び／又は同時的な硬化が容易になりうる。
【０４３５】
例えば図１を参照しつつ、図３５を詳細に参照するに、（ブロック４５１）連続可撓性ライン１０６のセグメント１２０の少なくとも部分１２４は、シールドガス２２１を用いて、酸化から少なくとも部分的に保護される。この段落の上述の記載は、本開示の例１９５を特徴付けており、例１９５は上記の例１９４による記載も含む。
【０４３６】
繰り返すが、部分１２４を酸化から保護することで、部分１２４の、後続の及び／又は同時的な硬化が容易になりうる。
【０４３７】
例えば図１を参照しつつ、図３５を詳細に参照するに、方法４００は更に、（ブロック４５２）連続可撓性ライン１０６のセグメント１２０をプリントパス１２２に沿って堆積させるのと同時に、複合部品１０２における不具合を検出することを含む。この段落の上述の記載は、本開示の例１９６を特徴付けており、例１９６は上記の例１６４から例１９５のいずれか１つによる記載も含む。
【０４３８】
セグメント１２０における不具合を検出することで、複合部品１０２の完成以前に、不具合を有する複合部品１０２を選択的に廃棄することが可能になる。そのため、材料の無駄が少なくなりうる。更に、検出されなければ様々な種類の不具合検出器による視認から隠されることになる不具合が、連続可撓性ライン１０６の後続層が不具合を視認から見えにくくするか、又は隠す以前に、検出されうる。
【０４３９】
例えば図１を参照しつつ、図３５を詳細に参照するに、（ブロック４０４）連続可撓性ライン１０６のセグメント１２０をプリントパス１２２に沿って堆積させることは、（ブロック４５４）連続可撓性ライン１０６のセグメント１２０の少なくとも一部分を犠牲層の上に堆積させることを含む。この段落の上述の記載は、本開示の例１９７を特徴付けており、例１９７は上記の例１６４から例１９６のいずれか１つによる記載も含む。
【０４４０】
犠牲層を使用することで、初期層の初期堆積のための外型、表面１１４、又は他の剛性構造を必要とすることなく、連続可撓性ライン１０６の初期層の空中での堆積が可能になりうる。つまり、犠牲層は、犠牲層ではない層の後続堆積のための外型となりうる。
【０４４１】
例えば図１を参照しつつ、図３５を詳細に参照するに、方法４００は更に、（ブロック４５６）犠牲層を除去して複合部品１０２を形成することを含む。この段落の上述の記載は、本開示の例１９８を特徴付けており、例１９８は上記の例１９７による記載も含む。
【０４４２】
犠牲層を除去することで、所望の状態の複合部品１０２がもたらされ、所望の状態とは、完成状態でありうるか、又は、その後に方法４００の完了後のプロセスによって処理される状態でありうる。
【０４４３】
例えば図１を参照しつつ、図３５を詳細に参照するに、方法４００は更に、（ブロック４５８）連続可撓性ライン１０６Ａのセグメント１２０Ａをプリントパス１２２に沿って堆積させることを含む。この段落の上述の記載は、本開示の例１９９を特徴付けており、例１９９は上記の例１６４から例１９８のいずれか１つによる記載も含む。
【０４４４】
換言すると、種々の構成の連続可撓性ライン１０６が、方法４００の実行において使用されうる。
【０４４５】
例えば、種々の連続可撓性ライン１０６の種々の性質が、複合部品１０２の種々のサブパートに関して選択されうる。一例としては、連続可撓性ライン１０６は、複合部品１０２のかなりの部分について炭素繊維を含む非樹脂構成要素１０８を備えうるが、連続可撓性ライン１０６は、電子部品との接続に不可欠な電路を画定するために、別の部分については銅配線を含む非樹脂構成要素１０８を備えうる。追加的又は代替的には、複合部品１０２の内部のために選択された非樹脂構成要素１０８とは異なる非樹脂構成要素１０８が、複合部品１０２の外表面のために選択されうる。他の様々な例も、例１９９の範囲に含まれる。
【０４４６】
例えば図１を参照するに、連続可撓性ライン１０６Ａは、非樹脂構成要素１０８又はフォトポリマ樹脂構成要素１１０の少なくとも一方が、連続可撓性ライン１０６とは異なる。この段落の上述の記載は、本開示の例２００を特徴付けており、例２００は上記の例１９９による記載も含む。
【０４４７】
方法４００の実行において非樹脂構成要素１０８及び／又はフォトポリマ樹脂構成要素１１０が変わることで、カスタマイズされた複合部品１０２を、複合部品１０２全体を通じて変わる所望の性質を伴って製造することが可能になる。
【０４４８】
本開示の例は、図３６に示す航空機の製造及び保守方法１１００、並びに、図３７に示す航空機１１０２に照らして説明されうる。製造前の段階において、例示的な方法１１００は、航空機１１０２の仕様及び設計（ブロック１１０４）と、材料調達（ブロック１１０６）とを含みうる。製造段階では、航空機１１０２の構成要素及びサブアセンブリの製造（ブロック１１０８）と、システムインテグレーション（ブロック１１１０）とが行われうる。その後、航空機１１０２は認可及び納品（ブロック１１１２）を経て運航（ブロック１１１４）に供されうる。運航期間中、航空機１１０２には、定期的な整備及び保守（ブロック１１１６）が予定されうる。定期的な整備及び保守は、航空機１１０２の一又は複数のシステムの改変、再構成、改修などを含みうる。
【０４４９】
例示的な方法１１００のプロセスの各々は、システムインテグレータ、第三者、及び／又は顧客などのオペレータによって実行又は実施されうる。本明細書においては、システムインテグレータは、任意の数の航空機製造業者及び主要システム下請業者を含みうるがそれらに限定されず、第三者は、任意の数のベンダー、下請業者、及び供給業者を含みうるがそれらに限定されず、かつ、オペレータは、航空会社、リース会社、軍事団体、サービス機関などでありうる。
【０４５０】
図３７に示すように、例示的な方法１１００によって製造された航空機１１０２は、複数の高レベルシステム１１２０及び内装１１２２を備えた機体１１１８を含みうる。高レベルシステム１１２０の例は、推進システム１１２４、電気システム１１２６、油圧システム１１２８、及び環境システム１１３０のうちの一又は複数を含む。任意の数の他のシステムも含まれうる。航空宇宙産業の例を示しているが、本書で開示されている原理は、自動車産業のような他の産業にも適用されうる。そのため、本書で開示されている原理は、航空機１１０２に加え、陸上ビークル、海洋ビークル、宇宙ビークルなどといった他のビークルにも適合しうる。
【０４５１】
本書で示され、説明されている装置（複数可）及び方法（複数可）は、製造及び保守方法１１００の、一又は複数の任意の段階において用いられうる。例えば、構成要素及びサブアセンブリの製造（ブロック１１０８）に対応する構成要素又はサブアセンブリは、航空機１１０２の運航（ブロック１１１４）期間中に製造される構成要素又はサブアセンブリと同様の様態で製作又は製造されうる。また、装置（複数可）、方法（複数可）又はそれらの組み合わせの一又は複数の例は、例えば、航空機１１０２の組立てを著しく効率化するか、又はコストを削減することにより、製造段階１１０８及び１１１０において利用されうる。同様に、装置又は方法を実現する一又は複数の例、或いはそれらの組み合わせは、限定するわけではないが例としては、航空機１１０２の運航（ブロック１１１４）期間中に、及び／又は整備及び保守（ブロック１１１６）において、利用されうる。
【０４５２】
本書で開示されている装置（複数可）及び方法（複数可）の種々の例は、多種多様な構成要素、特徴及び機能を含む。本書で開示されている装置（複数可）及び方法（複数可）の様々な例は、本書で開示されている装置（複数可）及び方法（複数可）のその他の例のうちの任意のものの、任意の構成要素、特徴及び機能を、任意の組み合わせにおいて含む可能性があり、かつ、かかる可能性は全て本開示の範囲に含まれると意図されていることを、理解すべきである。
【０４５３】
上述の説明および関連図面に提示した教示の恩恵を得る、本開示に関連する当業者には、本書に明示された例の多数の変形例が想起されよう。
【０４５４】
従って、本開示は例示された特定の例に限定されることがないこと、及び、変形例及びその他の例は付随する特許請求の範囲に含まれると意図されていることを、理解されたい。更に、上述の説明及び関連図面は、要素及び／又は機能のある例示的な組み合わせに照らして本開示の例を説明しているが、付随する特許請求の範囲から逸脱せずに、代替的な実行形態によって、要素及び／又は機能の種々の組み合わせが提供されうることを、認識すべきである。そのため、付随する特許請求の範囲に挿入される参照番号は、例示目的でのみ提示されており、特許請求される主題の範囲を本開示内で提供されている特定の例に限定することを意図しているわけではない。
【図１】
0006803694.tif 000002
【図２】
0006803694.tif 000003
【図３】
0006803694.tif 000004
【図４】
0006803694.tif 000005
【図５】
0006803694.tif 000006
【図６】
0006803694.tif 000007
【図７】
0006803694.tif 000008
【図８】
0006803694.tif 000009
【図９】
0006803694.tif 000010
【図１０】
0006803694.tif 000011
【図１１】
0006803694.tif 000012
【図１２】
0006803694.tif 000013
【図１３】
0006803694.tif 000014
【図１４】
0006803694.tif 000015
【図１５】
0006803694.tif 000016
【図１６】
0006803694.tif 000017
【図１７】
0006803694.tif 000018
【図１８】
0006803694.tif 000019
【図１９】
0006803694.tif 000020
【図２０】
0006803694.tif 000021
【図２１】
0006803694.tif 000022
【図２２】
0006803694.tif 000023
【図２３】
0006803694.tif 000024
【図２４】
0006803694.tif 000025
【図２５】
0006803694.tif 000026
【図２６】
0006803694.tif 000027
【図２７】
0006803694.tif 000028
【図２８】
0006803694.tif 000029
【図２９】
0006803694.tif 000030
【図３０】
0006803694.tif 000031
【図３１】
0006803694.tif 000032
【図３２】
0006803694.tif 000033
【図３３】
0006803694.tif 000034
【図３４Ａ】
0006803694.tif 000035
【図３４Ｂ】
0006803694.tif 000036
【図３４Ｃ】
0006803694.tif 000037
【図３５Ａ】
0006803694.tif 000038
【図３５Ｂ】
0006803694.tif 000039
【図３５Ｃ】
0006803694.tif 000040
【図３６】
0006803694.tif 000041
【図３７】
0006803694.tif 000042